(57)【特許請求の範囲】
【請求項１】
動作により演出を行なう可動演出装置を備えた遊技機において、
前記可動演出装置は、
第１駆動手段に接続され、該第１駆動手段の駆動によって第１位置および第２位置との間で移動する第１作動機構と、
前記第１作動機構に接続され、該第１作動機構の移動に伴って移動する第１の可動体と、
前記第１作動機構が第１位置および第２位置の間を移動する過程で接離し、該第１作動機構が接触した状態で第１作動機構の移動に伴って原位置および可動位置の間を移動する第２作動機構と、
前記第２作動機構に接続され、該第２作動機構の移動に伴って移動する第２の可動体と、
前記第２作動機構を前記第１作動機構が接触する前の原位置に向けて付勢する復帰手段と、
前記原位置の第２作動機構に接触すると共に該第２作動機構が接離可能で、接触状態で該第２作動機構を移動する第２駆動手段とを備え、
前記第１作動機構は、前記第１位置において前記第２作動機構と離間し、該第１作動機構が第１位置および第２位置の間の接触位置と第２位置との間を移動する間は該第１作動機構が第２作動機構に接触すると共に、該第２作動機構は、第１作動機構と接触して原位置から可動位置に向けて移動することで前記第２駆動手段から離間するよう構成した
ことを特徴とする遊技機。
【請求項２】
前記第２駆動手段は、前記第２作動機構を第１位置の前記第１作動機構に接触しない範囲で該第２作動機構を移動するよう構成した請求項１記載の遊技機。
【請求項３】
前記第１の可動体および第２の可動体の軌道が一部重なるよう構成され、前記第１作動機構が前記接触位置および第２位置の間で移動する際には、第１の可動体が第２の可動体の軌道から外れた位置を移動するよう構成した請求項１または２記載の遊技機。
【請求項４】
前記第１作動機構の第１位置において待機位置に位置する前記第１の可動体の下方に前記第２の可動体が位置し、
前記第１作動機構は、前記第１駆動手段の駆動によって上下方向に直線的に移動する押圧部材と、前記可動演出装置の装置本体部と第１の可動体とに連繋されて該第１の可動体を平行移動するよう支持する平行リンク機構と、前記押圧部材と第１の可動体とに連繋されて該押圧部材の直線移動に伴って前記平行リンク機構で支持された第１の可動体を待機位置と該待機位置から斜め下方の作動位置との間を移動させる作動杆とを有し、
前記第２作動機構は、前記押圧部材が接離可能で上下方向に直線的に移動可能な第１部材と、前記第２の可動体に配設されると共に前記第１部材に連繋体を介して連繋されて該第１部材の移動に伴って上下逆方向に直線的に移動する第２部材とを有し、
前記第１作動機構が第１位置から第２位置まで移動するに際し、前記押圧部材が前記接触位置で前記第１部材に接触して下方に押圧することで、前記連繋体を介して前記第２部材が上方に移動して、前記作動位置に到来した第１の可動体の側方に並ぶ位置まで前記第２の可動体を移動するよう構成した請求項１〜３の何れか一項に記載の遊技機。
【発明の詳細な説明】
【技術分野】
【０００１】
この発明は、動作により演出を行なう可動演出装置を備えた遊技機に関するものである。
【背景技術】
【０００２】
代表的な遊技機であるパチンコ機は、機内にセットされる遊技盤の盤面に画成した遊技領域の略中央位置に枠状の装飾部材(所謂センター役物)が配設されて、該装飾部材の開口部から液晶式やドラム式等の図柄表示装置を臨ませ、この図柄表示装置で図柄組み合わせゲームやリーチ演出等の遊技演出を行なうよう構成されている。また、パチンコ機では、所要の動作を行なう可動体を備えた可動演出装置を装飾部材に配設し、該可動体を図柄表示装置で行なわれる遊技演出に合わせて動作させることにより、視覚的な演出効果を向上させて遊技の興趣を高めている(例えば、特許文献１参照)。
【０００３】
特許文献１に開示の可動演出装置では、可動体がリンク機構を介して遊技盤に揺動自在に配設され、該リンク機構に連結するモータの駆動により可動体が図柄表示装置の前側で揺動するよう構成される。
【先行技術文献】
【特許文献】
【０００４】
【特許文献１】特開２００３−１９０４０１号公報
【発明の概要】
【発明が解決しようとする課題】
【０００５】
前記可動体の動作による演出のインパクトを増大するため、遊技盤に複数の可動体を配設することが行なわれる。この場合に、複数の可動体を１基のモータで動作させるように、各可動体に連繋するリンク機構を１基のモータに連結することが考えられる。しかしながら、１基のモータで複数の可動体を動作させる構成では、各可動体を単独で動作させることができず、複数の可動体の動作パターンが限定される難点が指摘される。
【０００６】
そこで、複数の可動体を夫々専用のリンク機構やモータで動作させることが考えられる。しかしながら、パチンコ機において、各可動体を夫々独立したモータで駆動する構成では、各可動体を同期的に動作させるために各モータを精度よく制御する必要があり、制御負担が増える欠点が指摘される。
すなわち本発明は、従来の技術に係る遊技機に内在する前記問題に鑑み、これらを好適に解決するべく提案されたものであって、複数の可動体を個々に動作したり連動することができる可動演出装置を備えた遊技機を提供することを目的とする。
【課題を解決するための手段】
【０００７】
前記課題を克服し、所期の目的を達成するため、本願の請求項１に係る発明は、
動作により演出を行なう可動演出装置(38)を備えた遊技機において、
前記可動演出装置(38)は、
第１駆動手段(120)に接続され、該第１駆動手段(120)の駆動によって第１位置および第２位置との間で移動する第１作動機構(91)と、
前記第１作動機構(91)に接続され、該第１作動機構(91)の移動に伴って移動する第１の可動体(88)と、
前記第１作動機構(91)が第１位置および第２位置の間を移動する過程で接離し、該第１作動機構(91)が接触した状態で第１作動機構(91)の移動に伴って原位置および可動位置の間を移動する第２作動機構(93)と、
前記第２作動機構(93)に接続され、該第２作動機構(93)の移動に伴って移動する第２の可動体(89)と、
前記第２作動機構(93)を前記第１作動機構(91)が接触する前の原位置に向けて付勢する復帰手段(152)と、
前記原位置の第２作動機構(93)に接触すると共に該第２作動機構(93)が接離可能で、接触状態で該第２作動機構(93)を移動する第２駆動手段(142)とを備え、
前記第１作動機構(91)は、前記第１位置において前記第２作動機構(93)と離間し、該第１作動機構(91)が第１位置および第２位置の間の接触位置と第２位置との間を移動する間は該第１作動機構(91)が第２作動機構(93)に接触すると共に、該第２作動機構(93)は、第１作動機構(91)と接触して原位置から可動位置に向けて移動することで前記第２駆動手段(142)から離間するよう構成したことを特徴とする。
請求項１に係る発明によれば、第１作動機構と第２作動機構とが接触しない範囲で、第１の可動体および第２の可動体を対応する駆動手段によって夫々単独で動作させることができると共に、第１作動機構を移動させる範囲により、１つの駆動手段で１つの可動体のみの演出や２つの可動体での演出を行ない得るので、多様な動作パターンでの演出を行なうことができ、興趣を向上し得る。また、第１作動機構と第２作動機構とを接触した状態で、１つの駆動手段により２つの可動体を動作させることができるので、制御負担を軽減し得る。
【０００８】
請求項２に係る発明では、前記第２駆動手段(142)は、前記第２作動機構(93)を第１位置の前記第１作動機構(91)に接触しない範囲で該第２作動機構(93)を移動するよう構成したことを要旨とする。
請求項２に係る発明によれば、第２駆動手段は、第１位置の第１作動機構に接触しない範囲で第２作動機構を移動するよう構成したので、第２の可動体を単独で動作させる際に第２作動機構が第１作動機構と接触して第１の可動体が意図しない動作を行なうのを防止し得る。
【０００９】
請求項３に係る発明では、前記第１の可動体(88)および第２の可動体(89)の軌道が一部重なるよう構成され、前記第１作動機構(91)が前記接触位置および第２位置の間で移動する際には、第１の可動体(88)が第２の可動体(89)の軌道から外れた位置を移動するよう構成したことを要旨とする。
請求項３に係る発明によれば、第１の可動体と第２の可動体とを限られたスペースで干渉することなく動作させ得る。
【００１０】
請求項４に係る発明では、前記第１作動機構(91)の第１位置において待機位置に位置する前記第１の可動体(88)の下方に前記第２の可動体(89)が位置し、
前記第１作動機構(91)は、前記第１駆動手段(120)の駆動によって上下方向に直線的に移動する押圧部材(108)と、前記可動演出装置(38)の装置本体部(96)と第１の可動体(88)とに連繋されて該第１の可動体(88)を平行移動するよう支持する平行リンク機構(108)と、前記押圧部材(106)と第１の可動体(88)とに連繋されて該押圧部材(106)の直線移動に伴って前記平行リンク機構(108)で支持された第１の可動体(88)を待機位置と該待機位置から斜め下方の作動位置との間を移動させる作動杆(107)とを有し、
前記第２作動機構(93)は、前記押圧部材(106)が接離可能で上下方向に直線的に移動可能な第１部材(149)と、前記第２の可動体(89)に配設されると共に前記第１部材(149)に連繋体(148)を介して連繋されて該第１部材(149)の移動に伴って上下逆方向に直線的に移動する第２部材(150)とを有し、
前記第１作動機構(91)が第１位置から第２位置まで移動するに際し、前記押圧部材(108)が前記接触位置で前記第１部材(149)に接触して下方に押圧することで、前記連繋体(148)を介して前記第２部材(150)が上方に移動して、前記作動位置に到来した第１の可動体(88)の側方に並ぶ位置まで前記第２の可動体(89)を移動するよう構成したことを要旨とする。
請求項４に係る発明によれば、２つの可動体を上下に並ぶ位置と左右に並ぶ位置とで変化し得るから、興趣のある演出を行ない得る。
【発明の効果】
【００１１】
本発明に係る遊技機によれば、複数の可動体を個々に動作したり連動することで、興趣を向上し得る。
【図面の簡単な説明】
【００１２】
【図１】本発明の好適な実施例に係るパチンコ機を示す正面図である。
【図２】実施例に係る遊技盤を示す正面図である。
【図３】実施例に係る遊技盤と裏部材とを分解した状態で示す縦断側面図である。
【図４】実施例に係る遊技盤と裏部材とを分解した状態で示す横断平面図である。
【図５】実施例に係る裏部材を、各可動演出装置の各可動体が待機位置にある状態で示す正面図である。
【図６】実施例に係る裏部材を、各可動演出装置の各可動体が作動位置にある状態で示す正面図である。
【図７】実施例に係る第１可動演出装置を前側から視た分解斜視図である。
【図８】実施例に係る第１可動演出装置を後側から視た分解斜視図である。
【図９】実施例に係る第１可動演出装置の可動部材および第１連繋機構を前側から視た拡大分解斜視図である。
【図１０】実施例に係る第１可動演出装置の可動部材および第１連繋機構を後側から視た拡大分解斜視図である。
【図１１】実施例に係る第１可動演出装置の転がり軸受を前側から視た拡大分解斜視図である。
【図１２】実施例に係る第１可動演出装置を第１可動体が待機位置の状態で示す背面図である。
【図１３】図１２のＡ−Ａ線断面図であって、転がり軸受の一部を省略して示す。
【図１４】図１２のＢ−Ｂ線断面図である。
【図１５】図１２のＣ−Ｃ線断面図である。
【図１６】図１２のＤ−Ｄ線断面図である。
【図１７】図１６における転がり軸受の配設部位を示す要部拡大図である。
【図１８】実施例に係る第１可動演出装置を、第１カバー部材を取外し、第１可動体が待機位置の状態で示す概略正面図である。
【図１９】実施例に係る第１可動演出装置を、第１ベース部材を取外し、第１可動体が待機位置の状態で示す概略背面図である。
【図２０】実施例に係る第１可動演出装置を第１可動体が作動位置の状態で示す背面図である。
【図２１】実施例に係る第１可動演出装置を、第１カバー部材を取外し、第１可動体が作動位置の状態で示す概略正面図である。
【図２２】実施例に係る第１可動演出装置を、第１ベース部材を取外し、第１可動体が作動位置の状態で示す概略背面図である。
【図２３】実施例に係る第２可動演出装置を前側から視た分解斜視図である。
【図２４】実施例に係る第２可動演出装置を後側から視た分解斜視図である。
【図２５】実施例に係る第２可動演出装置の第２駆動部および第２連繋機構を前側から視た拡大分解斜視図である。
【図２６】実施例に係る第２可動演出装置の第３駆動部および第３連繋機構を前側から視た拡大分解斜視図である。
【図２７】実施例に係る斜動第２可動体を後側から視た拡大分解斜視図である。
【図２８】実施例に係る直動第２可動体を後側から視た拡大分解斜視図である。
【図２９】実施例に係る第２可動演出装置の第２駆動部および第２連繋機構を後側から視た拡大分解斜視図である。
【図３０】実施例に係る第２可動演出装置を、第２可動体が待機位置の状態で示す概略正面図である。
【図３１】図３０のＥ−Ｅ線断面図である。
【図３２】実施例に係る第２可動演出装置を、第１および第２カバー部品を取外すと共に両第２可動体を想像線で示し、両第２可動体が待機位置の状態で示す概略正面図である。
【図３３】実施例に係る第２可動演出装置を、第２カバー部材を取外すと共に両第２可動体を想像線で示し、両第２可動体が待機位置の状態で示す概略正面図である。
【図３４】実施例に係る第２可動演出装置を、第２カバー部材を取外すと共に両第２可動体を想像線で示し、ラック部材が第１部材に当接した状態で示す概略正面図である。
【図３５】実施例に係る第２可動演出装置を、第２連繋機構および第３連繋機構の関係を、ラック部材が第１部材に当接した状態で示す概略背面図である。
【図３６】実施例に係る第２可動演出装置を、第１および第２カバー部品を取外すと共に両第２可動体を想像線で示し、両第２可動体が作動位置の状態で示す概略正面図である。
【図３７】実施例に係る第２可動演出装置を、第２カバー部材を取外すと共に両第２可動体を想像線で示し、両第２可動体が作動位置の状態で示す概略正面図である。
【図３８】実施例に係る第２可動演出装置を、第２連繋機構および第３連繋機構の関係を、両第２可動体が作動位置の状態で示す概略背面図である。
【図３９】実施例に係る第２可動演出装置を、第１および第２カバー部品を取外した状態で、第３駆動部で直動第２可動体のみを動作させた状態を示す概略正面図である。
【発明を実施するための形態】
【００１３】
次に、本発明に係る遊技機につき、好適な実施例を挙げて、添付図面を参照しながら以下詳細に説明する。なお、実施例では、遊技球としてパチンコ球を用いて遊技を行なうパチンコ機を例に挙げて説明する。また、以下の説明において、「前」、「後」、「左」、「右」とは、特に断りのない限り、図１に示すようにパチンコ機を前側(遊技者側)から見た状態で指称する。
【実施例】
【００１４】
(パチンコ機について)
実施例に係るパチンコ機１０は、図１に示すように、矩形枠状に形成されて遊技店の図示しない設置枠台に固定される固定枠としての外枠１１の開口前面側に、後述する遊技盤１８(図２参照)が着脱可能に保持された本体枠としての中枠１２が開閉および着脱可能に組付けられて、該遊技盤１８の裏側に対して、各種図柄を変動表示可能な図柄表示装置１３が着脱し得るよう配設されている(図３,図４参照)。また、中枠１２の前面側には、遊技盤１８を透視保護するガラス板を備えた装飾枠としての前枠１４が開閉可能に組付けられると共に、該前枠１４の下方にパチンコ球を貯留する下球受け皿１５が開閉可能に組付けられる。なお、実施例では、前枠１４の下部位置に、パチンコ球を貯留する上球受け皿１６が一体的に組付けられており、前枠１４の開閉に合わせて上球受け皿１６も一体的に開閉するよう構成される。また、中枠１２の裏側には、遊技に供されたパチンコ球を遊技店側に設けた球回収設備に排出する球回収部(図示せず)が設けられる。
【００１５】
(遊技盤について)
前記中枠１２に配設される前記遊技盤１８は、図２に示すように、前面(盤面)にパチンコ球が流下可能な遊技領域１８ａが画成され、合板等の木製からなる平板状の板部材で構成される。遊技盤１８の前面には、円弧状に形成した案内レール２０が配設されると共に、該案内レール２０の右方位置に、左端縁が右方に凹む円弧状に形成した第１盤面飾り部材２１が配設される。そして、案内レール２０および第１盤面飾り部材２１により遊技領域１８ａが略円形状に画成され、該遊技領域１８ａに、中枠１２に配設された図示しない打球発射装置から発射されたパチンコ球が遊技領域１８ａ内に打ち出され、該遊技領域１８ａ内をパチンコ球が流下して遊技が行なわれる。なお、打球発射装置から発射されたパチンコ球は、遊技盤１８の下側から左側に案内レール２０で案内されて、遊技領域１８ａの左上部に打ち出される。また、遊技盤１８の遊技領域１８ａ内には、多数の遊技釘が植設されており、該遊技釘との接触により遊技領域１８ａを流下するパチンコ球の流下方向が不規則に変化するよう構成してある。なお、遊技盤１８の盤面には、案内レール２０の左方(遊技領域１８ａの外側)の上下位置に第２盤面飾り部材２２が夫々が配設される。
【００１６】
前記遊技盤１８には、図１または図２に示す如く、後述する装飾部材２８の下縁より下方位置に、前記遊技領域１８ａを流下するパチンコ球が入賞可能な第１始動入賞装置２３、第２始動入賞装置２４および特別入賞装置２５やパチンコ球が通過可能なゲート２６等が配設される。第１および第２始動入賞装置２３,２４は、遊技領域１８ａを流下するパチンコ球が入賞可能な始動入賞口が設けられる。そして、始動入賞装置２３,２４の始動入賞口へ入賞したパチンコ球が始動入賞センサ(図示せず)で検出されることで、図柄表示装置１３の表示部１３ａで図柄変動が開始されると共に、所定数(例えば５個)のパチンコ球が賞球として前記上下の球受け皿１５,１６に払い出される。
【００１７】
前記特別入賞装置２５は、入賞口が開閉扉で常には閉鎖されており、前記図柄表示装置１３での図柄変動の結果、図柄表示装置１３の表示部１３ａに所定の図柄組み合わせ(例えば同一図柄の三つ揃い等)で図柄が停止表示されることで所謂「大当り」が発生し、これにより開閉扉が開放するよう作動制御されて、入賞口への入賞により多数の賞球を獲得し得るようになっている。なお、前記第２始動入賞装置２４は始動入賞口を閉成する開閉部材を備え、前記ゲート２６に設けたゲートセンサがパチンコ球の通過を検知したことを契機として、制御装置(図示せず)により開閉部材を開放するか否かの抽選が行なわれる。なお、図２の符号２７は、遊技盤１８に配設されて、常に入賞口を開放している普通入賞装置を示す。
【００１８】
(装飾部材について)
前記遊技盤１８の中央には、図３または図４に示す如く、前後に貫通する大型の貫通孔１８ｂが形成されており、該貫通孔１８ｂに対して前後に開口する枠状の装飾部材(所謂センター役物)２８が嵌め込まれるように着脱可能に配設される。そして、後述する裏部材３２の開口部３２ａから臨む前記図柄表示装置１３の表示部１３ａは、装飾部材２８における前後に開口する窓口(可視部)２８ａを介して遊技盤１８の前側に露出して、該図柄表示装置１３の表示部１３ａで展開される図柄変動演出を前側から視認し得るようになっている。
【００１９】
前記装飾部材２８には、図２〜図４に示す如く、上縁部から左右両縁部に亘り、遊技盤１８の前面より前方に突出する円弧状の庇状部２８ｂが設けられており、前記遊技領域１８ａに打ち出されたパチンコ球を外周部の庇状部２８ｂで案内し得ると共に、該パチンコ球が装飾部材２８の窓口２８ａを横切って流下するのを該庇状部２８ｂで規制している。また装飾部材２８には、窓口２８ａの下側に、ステージ２９が配設されると共に、窓口２８ａの左側に、遊技領域１８ａに開口して該遊技領域１８ａを流下するパチンコ球を取込んでステージ２９に案内する球導入部３０が設けられ、該球導入部３０からステージ２９に通出されたパチンコ球は、ステージ２９上を左右に転動した後に、前記各入賞装置２３,２４,２５,２７が配設されている遊技領域１８ａに排出される。
【００２０】
前記ステージ２９の後端縁には、左右方向の全長に亘って上側に向けて所定高さで立上がる透明壁３１が設けられ、ステージ２９上を転動するパチンコ球が図柄表示装置１３の表示部１３ａ側に移動するのを該透明壁３１で防止している。なお、透明壁３１の上端縁には前方に向けて張出す張出部３１ａが形成されており、該張出部３１ａによって表示部１３ａ側へのパチンコ球の移動を確実に防止し得るようになっている。
【００２１】
(裏部材について)
前記遊技盤１８の裏面には、図３〜図６に示す如く、前記図柄表示装置１３が着脱可能に配設されると共に、後述する可動演出装置３７,３８,３９や複数の発光基板等の遊技部品が配設される合成樹脂材で形成された裏部材３２が配設され、該裏部材３２に形成された前後に開口する開口部３２ａを介して図柄表示装置１３の表示部１３ａを遊技盤１８の前側から視認し得るよう構成されている。実施例では、裏部材３２の開口部３２ａは、上辺、下辺、左辺および右辺で画成される略４角形状に開口しており、図柄表示装置１３の表示部１３ａは開口部３２ａから視認可能な領域となることから、該開口部３２ａの縁部が表示部１３ａの外縁となっている。
【００２２】
前記裏部材３２は、図３〜図６に示すように、前方に開口する矩形箱状に形成された箱状本体３３と、該箱状本体３３の開口前端部に形成されて当該箱状本体３３の開口外側へ延出し、前記遊技盤１８の裏面に当接する取付部３４とから構成される。箱状本体３３は、遊技盤１８に対向する矩形板状に形成された対向面部３５と、該対向面部３５における上下左右の各縁部から前方に延出する画壁部３６とから前方に開口するよう形成されて、各画壁部３６の前端部から箱状本体３３の開口外側へ向けて延出するよう取付部３４が形成される。そして、取付部３４の前面を遊技盤１８の裏面に当接した状態で、取付部３４を遊技盤１８にネジ止めすることによって遊技盤１８に裏部材３２が固定される。
【００２３】
前記対向面部３５には、図３および図４に示す如く、上下および左右幅の大部分が開口する大型の前記開口部３２ａが形成されている。以下の説明において、対向面部３５における開口部３２ａに対する上下左右に位置する部分について、上対向面部３５ａ、下対向面部３５ｂ、左対向面部３５ｃ、右対向面部３５ｄと夫々指称するものとする。
【００２４】
前記遊技盤１８の裏側に裏部材３２を取付けた状態で、該裏部材３２の対向面部３５と遊技盤１８との間に所要の空間が画成される。裏部材３２の対向面部３５には、図５および図６に示す如く、左対向面部３５ｃに第１可動演出装置３７が配設され、右対向面部３５ｄに第２可動演出装置３８が配設され、下対向面部３５ｂに第３可動演出装置３９が配設される。そして、これら３つの可動演出装置３７,３８,３９が、裏部材３２と遊技盤１８との間に画成される空間に夫々収容される。
【００２５】
(第１可動演出装置について)
前記第１可動演出装置(可動演出装置)３７は、図５および図６に示すように、前記裏部材３２における左対向面部３５ｃに設置されている。図７,図８,図１３,図１４に示すように、第１可動演出装置３７は、該第１可動演出装置３７を構成する部材の設置基盤となる第１ベース部材４０と、所定の演出動作を行なう可動部材４１と、この可動部材４１を往復動する第１駆動部(駆動部)４２と、所定の演出動作を行なう第１可動体(可動体)４３と、可動部材４１の往復動に連動して第１可動体４３を往復動する第１連繋機構(連繋機構)４４と、第１ベース部材４０の前側を覆う第１カバー部材４５とから基本的に構成される。第１可動演出装置３７は、第１ベース部材４０と第１カバー部材４５とから第１駆動部４２の第１伝達部４６および可動部材４１の支持機構を収容するケース状の第１装置本体部４７が構成され、この第１装置本体部４７単位で、可動部材４１、第１可動体４３、第１連繋機構４４および第１駆動部４２を含めて裏部材３２に対して一体的に着脱可能なユニット構造になっている。また第１可動演出装置３７は、図５に示す如く、第１装置本体部４７が前記図柄表示装置１３の表示部１３ａの左辺(第３の辺)の外側に配置されると共に、第１装置本体部４７の右側から可動部材４１における第１可動体４３が配設された腕部５３(後述)が該第１装置本体部４７の外方に臨んでいる。そして、第１可動演出装置３７では、腕部５３が裏部材３２の上対向面部３５ａの前側に位置して表示部１３ａにおける上辺(第１の辺)の外側に退避した待機位置(図５参照)と、この待機位置から下方変位して表示部１３ａの前側(表示部１３ａの上下方向の略中間)に臨む作動位置(図６参照)との間で可動部材４１が往復動するようになっている。
【００２６】
前記第１ベース部材４０は、図７,図８,図９および図１０に示す如く、裏部材３２の左対向面部３５ｃに当接する板状部分の周縁部から前方へ壁が立ち上がる前方に開口する箱状体であって、透明な合成樹脂素材から形成されている。また第１カバー部材４５は、図７,図８に示す如く、第１ベース部材４０の前部開口を被覆可能な板状部分の周縁部から後方へ壁が立ち上がる後方に開口する箱状体であって、透明な合成樹脂素材から形成されている。そして、第１ベース部材４０の壁に第１カバー部材４５の壁を当接して両部材４０,４５をねじ止め固定することで、前記第１伝達部４６や支持機構等を収容する空間を画成した前記第１装置本体部４７が構成される(図１３参照)。
【００２７】
前記第１装置本体部４７の右側部(表示部１３ａ側の側部)には、図１４に示す如く、第１ベース部材４０および第１カバー部材４５との間に、可動部材４１の腕部５３が挿通される可動体挿通口４７ａが画成される。可動体挿通口４７ａは、前後寸法が腕部５３の前後寸法より若干大きく設定されると共に、上下寸法が腕部５３の上下変位を許容し得る幅に設定され、可動体挿通口４７ａに挿通した腕部５３の上下方向の変位を許容しつつ前後方向のぶれを抑制し得るようになっている。また、第１装置本体部４７の左側部には、第１ベース部材４０および第１カバー部材４５との間に、可動基部５２における腕部５３の延出側とは反対の左端部に配設したガイド部材５２ａを挿通案内する案内口４７ｂが上下方向に所定長さで画成され(図１６,図１７参照)、可動部材４１の前後方向のぶれを第１装置本体部４７の左右両側で抑制するよう構成される。更に、第１ベース部材４０には、図１４または図１８に示す如く、第１カバー部材４５の右端縁より右側に延出する延出部４０ａの上端部前側に、待機位置に臨む可動部材４１の腕部５３の前側に、該腕部５３の前方への移動を規制する規制部材４８が配設される。この規制部材４８は、延出部４０ａの前方に腕部５３の前後寸法と略同一寸法で平行に臨む平行部４８ａと、該平行部４８ａから下方に向かうにつれて延出部４０ａから離間するよう傾斜する傾斜部４８ｂとを備え、可動部材４１が作動位置から待機位置に移動する際に、傾斜部４８ｂによって腕部５３を平行部４８ａと延出部４０ａとの間に円滑に案内し得るよう構成される。
【００２８】
前記第１装置本体部４７は、可動部材４１を待機位置で停止するのを補助する磁力吸着部材としての磁石４９を備えている(図１３参照)。なお、実施例では、磁石４９として永久磁石が採用される。磁石４９は、第１装置本体部４７において上辺部に設置され、可動部材４１の後述する可動基部５２の上側に位置している。すなわち、第１ベース部材４０の上側の壁に、図１３に示す如く、前方に開口する磁石収容部４０ｂが形成され、該磁石収容部４０ｂに収容された磁石４９は、磁石収容部４０ｂの前方開口を閉じる蓋部材５０で磁石収容部４０ｂ内に保持される。また、磁石収容部４０ｂの下部には開口部が設けられ、該磁石収容部４０ｂに収容された磁石４９の下面は、下部開口を介して第１装置本体部４７内に露出するよう構成される。
【００２９】
前記可動部材４１は、支持機構としての転がり軸受５１に対する取付部位となる可動基部５２と、この可動基部５２に転がり軸受５１による移動許容方向と交差する横方向に向けて該可動基部５２から延出するよう形成された腕部５３とを備える(図１８,図１９参照)。可動部材４１は、第１装置本体部４７の内部に可動基部５２が配設されて、前記図柄表示装置１３の表示部１３ａの左横側に位置する第１装置本体部４７から腕部５３が、前記可動体挿通口４７ａを介して表示部１３ａの中央側に向けて延出し、該腕部５３に前記第１可動体４３が左右方向(表示部１３ａの上辺に沿う方向)に往復動可能に配設されている。可動部材４１は、可動基部５２の上端左側から腕部５３が横方向に延出して、全体として正面視で表示部１３ａの上辺と左辺とに沿った鉤形を呈している(図５参照)。なお、実施例の可動部材４１は、可動基部５２と腕部５３の後述する前支持部５５とが一体で形成されたものであって(図９,図１０参照)、実施例では可動基部５２の上下方向に延在する右側縁から右方に延出する部分を腕部と指称している。
【００３０】
前記可動基部５２の上端部には、被磁力吸着部材としての金属片５４が取付けられている(図１３,図１９参照)。金属片５４は、前記第１装置本体部４７に設けた磁石４９に対して上下の関係で対向して設置され、可動部材４１の待機位置において磁石４９に金属片５４が相対し、磁石４９が金属片５４を磁力吸着することで可動部材４１を待機位置で保持する補助を行なうよう構成される。金属片５４は、板状の取付部が可動基部５２にネジ止めされると共に、該取付部から上方に突出する片部が、図１３に示すように、前記磁石４９における前記磁石収容部４０ｂの下部開口から露出する下面に対向するよう構成され、該片部が磁石４９に磁力吸着されるようになっている。
【００３１】
(腕部について)
前記腕部５３は、前記可動基部５２に一体形成された前支持部５５と、該前支持部５５の裏側にネジ止め固定された後支持部５６とから構成され、前後の支持部５５,５６間に、左右方向に延在する収容空間Ｓが画成される(図１５,図１６参照)。なお、前支持部５５および後支持部５６の左端部は、可動基部５２の上部を構成しており、収容空間Ｓも腕部５３と可動基部５２とに亘って形成されている。また収容空間Ｓは、腕部５３の右端部および可動基部５２の左端部で開口すると共に、該収容空間Ｓの下部は、可動基部５２から腕部５３の間に亘って開口し、該下部開口を介して後述する第１作動杆７９の収容空間Ｓ内への挿通が許容されるようになっている(図１３参照)。
【００３２】
前記収容空間Ｓには、前記第１連繋機構４４を構成する後述の可動連結部材７８が左右方向に移動可能に配設される。また、前後の支持部５５,５６の間(収容空間Ｓ内)には、可動連結部材７８を挟む上下位置に、該可動連結部材７８の上面または下面に当接して転動可能な案内ローラ５７,５７が、左右方向に離間する２箇所に配設され、可動連結部材７８は、複数の案内ローラ５７によって腕部５３に対して左右方向に沿って待機位置と作動位置との間をスムーズに移動し得るよう構成される(図７,図９,図１０参照)。
【００３３】
前記前支持部５５には、図９,図１０に示す如く、前後方向に貫通する長孔５５ａが左右方向に延在するよう形成され、該長孔５５ａに、前記第１可動体４３と可動連結部材７８とを連結する突部７５(後述)が挿通されている。また後支持部５６には、長孔５５ａの後方に臨む位置に、左右方向に離間して複数の孔５６ａが前後に貫通して形成される。後支持部５６における各孔５６ａの形成位置は、第１可動体４３(可動連結部材７８)が左右方向の所定位置(以後、着脱位置という)に位置した際に、対応する突部７５の後側に整列するよう設定される(図１２参照)。なお、実施例では、着脱位置と第１可動体４３の待機位置とが同一に設定しているが、異なる位置に設定してもよい。
【００３４】
(転がり軸受について)
前記転がり軸受５１は、図１７に示す如く、前記第１カバー部材４５に対して固定された外受部５８と、前記可動部材４１の可動基部５２に対して固定された内受部５９と、外受部５８と内受部５９との間に位置し、該外受部５８および内受部５９に接触する複数の転動体６０を上下方向に離間して転動可能に保持する中受部６１とから構成される。そして、外受部５８に対して中受部６１が転動体６０によって上下方向に往復動可能に支持されると共に、中受部６１に対して内受部５９が転動体６０によって上下方向に往復動可能に支持され、これによって外受部５８に対して内受部５９に固定される可動部材４１が上下方向に往復移動可能に支持される。実施例では、外受部５８、内受部５９および中受部６１が何れも金属素材から形成されると共に、転動体６０として金属球が用いられており、転がり軸受として所謂ボール軸受構造が採用されている。
【００３５】
前記外受部５８は、図１９に示す如く、第１カバー部材４５における表示部１３ａ側となる右端縁側に偏倚して上下方向に延在して配置される。外受部５８は、図１１に示す如く、中受部６１を案内するレールとして機能し、外受部５８は、第１カバー部材４５への当接部位となる外板状体５８ａの左右両側縁に後側に向けて外保持片５８ｂが夫々延出した平断面において後方に開放する略コ字形状に形成されている(図１７参照)。各外保持片５８ｂは、外側が凸になる湾曲形状に形成されて、他方の外保持片５８ｂに対向する面が転動体６０の外形に合わせた凹状になっている。
【００３６】
また、前記外受部５８の外板状体５８ａには、図１１に示す如く、上下方向に離間して前後方向に貫通する位置決め孔５８ｃが複数穿設されると共に、該外板状体５８ａの上下の端部には、後方に向けて折曲された規制片５８ｄが夫々形成される。そして、外受部５８は、第１カバー部材４５に設けた各位置決めピン４５ａを対応する位置決め孔５８ｃに挿入することで、第１カバー部材４５に対して上下および左右方向の位置規制がされた状態で取付けられる(図１３参照)。また、第１カバー部材４５に取付けられた外受部５８における上側(一端部)の規制片５８ｄの突出端(後端)に、図１３に示す如く、第１カバー部材４５に設けた上係合部(係合部)４５ｂが係合し、該外受部５８における上端部の後方への移動規制がなされている。更に、外受部５８における下側(他端部)の規制片５８ｄに対し、第１カバー部材４５に着脱可能にネジ止めされる固定部材６２が後側から係合して保持されている。なお、第１カバー部材４５に突設した位置決めピン４５ａは、外受部５８の位置決め孔５８ｃに挿通された状態で、該外受部５８の後方への突出寸法は、外受部５８に移動可能に支持される中受部６１と干渉しないよう設定してある。また上下の規制片５８ｄ,５８ｄは、両外保持片５８ｂ,５８ｂの間に配設される中受部６１および内受部５９の上側の規制片５８ｄを越えた上方の移動を規制し得る一方、中受部６１および内受部５９の下側の規制片５８ｄを越えた下方の移動を規制する機能も有する。
【００３７】
前記中受部６１は、図１１に示す如く、内受部５９を案内するレールとして機能し、外受部５８の外板状体５８ａと対向する中板状体６１ａの対向する側縁に後側に延出形成された中保持片６１ｂを複数備え、複数の中保持片６１ｂは、該側縁の延在方向に互いに離間して配置される。中受部６１は、各中保持片６１ｂが板状体の長手辺に沿って設けられ、外受部５８における左右の外保持片５８ｂ,５８ｂ間に、その長手辺を上下に延在させると共に各中保持片６１ｂを対応する側の外保持片５８ｂに対向させた状態で配設されている。また、中受部６１は、左右方向の中央部が後側に凸状に隆起しており、この隆起部分６１ｃが上下方向に亘って形成されている。
【００３８】
前記各中保持片６１ｂには、図１１に示す如く、転動体６０の直径より小径に設定された円形の中保持孔６１ｄが開設されており、中保持片６１ｂとこれに対向する外保持片５８ｂとの間に配設した転動体６０を中保持孔６１ｄに回転可能に一部収容するようになっている(図１７参照)。すなわち、転動体６０は、外保持片５８ｂおよび中保持片６１ｂとによって左右方向の移動が規制されると共に、中保持孔６１ｄによって中保持片６１ｂからの上下方向の移動を規制されつつ回転可能になっている。なお、中保持片６１ｂに対して中保持孔６１ｄに回転可能に収容された転動体６０は、一部が中保持片６１ｂの内側に突出している。中受部６１は、その上下寸法が外受部５８の上下寸法より短く設定されて、左右の転動体６０を介して左右の外保持片５８ｂ,５８ｂの間に支持されたもとで、外受部５８における上下の規制片５８ｄ,５８ｄ間で上下方向に往復移動可能に構成される。なお、中受部６１は、隆起部分６１ｃの上端部および下端部の夫々に、後側に突設された停止突起６１ｅを有し、両中保持片６１ｂ,６１ｂの間に配設される内受部５９の所定幅を越えた上下方向の移動を停止突起６１ｅ,６１ｅにより規制するよう構成される。
【００３９】
前記内受部５９は、前記中受部６１の中板状体６１ａと対向する内板状体５９ａの両側縁に前側に向けて内保持片５９ｂが夫々延出形成されされて、平断面において前方に開放する略コ字形状に形成される(図１７参照)。内受部５９は、図１１に示す如く、各内保持片５９ｂが内板状体５９ａの長手辺に亘って設けられ、中受部６１における左右の中保持片６１ｂ,６１ｂ間に、その長手辺を上下に延在させると共に各内保持片５９ｂを対応する側の中保持片６１ｂに対向させた状態で配設されている。なお、内受部５９は、その上下寸法が中受部６１の上下寸法より短く設定される。内受部５９は、各内保持片５９ｂが他方の内保持片５９ｂに対向する内側が凸になる湾曲形状に形成されて、中保持片５９ｂに対向する外面が転動体６０の外形に合わせた凹状になっている。内受部５９は、前記転動体６０の中保持孔６１ｄを介して中保持片６１ｂの内側に臨む部分が内保持片５９ｂの外面に収まり、転動体６０と中受部６１の隆起部分６１ｃとの間に内保持片５９ｂが挟まれている。すなわち、内受部５９は、転動体６０と中受部６１の隆起部分６１ｃとによって左右方向の移動が規制されつつ上下方向に移動可能に支持されており、外受部５８に対して上下移動可能な中受部６１と独立して該中受部６１に対して内受部５９が上下移動可能に構成される。なお、内受部５９を前記可動基部５２に固定するネジにおけるネジ部の端部が、内板状体５９ａの上端部および下端部において前側に突出し、このネジ部が中受部６１の前記停止突起６１ｅ,６１ｅに当接することで上方または下方への移動が規制される。
【００４０】
前記第１装置本体部４７の第１ベース部材４０には、図９,図１０に示す如く、前後方向に貫通する配線通口４０ｃが上下方向に延在して形成され、前記腕部５３に配設した第１可動体４３が備える第１発光基板７３(後述)に接続する配線が、該配線通口４０ｃを介して後側に引き出されるよう構成される。配線通口４０ｃは、上部側が幅広に設定されると共に下部側が幅狭に設定される。また第１ベース部材４０の裏面には、配線通口４０ｃの幅狭部に対応する位置に、配線を保持する配線保持具６３が回転可能に配設されている(図１２参照)。
【００４１】
(第１駆動部について)
前記第１駆動部４２は、駆動手段としての第１モータ(モータ)６４と、この第１モータ６４および可動部材４１の可動基部５２を連繋して、第１モータ６４の回転を可動部材４１の動作に変換する第１伝達部４６とから構成される。実施例では、第１モータ６４として、制御装置の制御下に駆動または駆動停止されるステッピングモータが用いられている。第１モータ６４は、第１ベース部材４０の後面に取付けられ(図１２参照)、裏部材３２の左対向面部３５ｃに凹設された左側凹部(図示せず)に臨んでいる。第１モータ６４は、第１ベース部材４０における前記表示部１３ａから離間する左端縁側に偏倚して配置されており、第１装置本体部４７の右端縁側に偏倚して配置された転がり軸受５１(外受部５８)を挟んで表示部１３ａとは反対側に位置している。第１ベース部材４０の後面には、後側に開放するモータ取付け凹部４０ｄが形成され、このモータ取付け凹部４０ｄに第１モータ６４の前側部分を収容した状態で、該第１モータ６４が第１ベース部材４０に取付けられて、該第１モータ６４の出力軸を第１ベース部材４０に穿設した通孔を通して第１装置本体部４７内に突出している。
【００４２】
前記第１伝達部４６は、第１モータ６４の出力軸に固定された駆動歯車６５と、該駆動歯車６５に噛合する従動歯車６６と、該従動歯車６６に噛合するピニオン６７と、可動基部５２の左側縁(第１モータ側の側縁)に設けられ、ピニオン６７に噛合するラック６８とから構成され、ピニオン６７の正逆回転を可動基部５２の直線運動に変換する所謂ラックアンドピニオン構造になっている(図１１参照)。駆動歯車６５、従動歯車６６およびピニオン６７は、図１６〜図１９,図２１等に示す如く、第１装置本体部４７の内部において、前記転がり軸受５１の配設位置を挟んで腕部５３の延出側とは反対側に設けられる。すなわち、第１駆動部４２は、第１モータ６４および第１伝達部４６が、可動部材４１における腕部５３の延出側と転がり軸受５１を挟んで反対側に設けられているので、第１駆動部４２が腕部５３の動作に邪魔にならず、可動部材４１を安定して動作できる。
【００４３】
前記第１可動演出装置３７は、第１モータ６４の停止時(非通電時)に、該第１モータ６４自体の機械的な保持トルクによって、可動部材４１(第１可動体４３の重量を含む)の重量を第１伝達部４６を介して支持して、可動部材４１を待機位置で停止し得るよう構成されている。すなわち、第１可動演出装置３７において、第１モータ６４の停止時の保持トルクだけで可動部材４１を待機位置で保持することが可能であり、前記磁石４９と金属片５４との磁力吸着によって可動部材４１を待機位置で保持する構成は補助的な手段となっている。このように、第１可動演出装置３７は、遊技盤１８の振動やその他の予定しない力が可動部材４１に加わった際であっても、磁石４９と金属片５４とによる補助保持手段を設けてあるので、可動部材４１が待機位置から下降することを防止できる。
【００４４】
前記第１可動演出装置３７は、前記第１カバー部材４５の上端部に設置されて可動部材４１の位置を判定するフォトセンサ等からなる第１検知手段６９を備え、該第１検知手段６９は、制御装置に電気的に接続されて検知信号が制御装置に入力されるようになっている。第１検知手段６９は、該第１検知手段６９における対向する検知部間を通過するように配置された可動部材４１の第１検知片７０の有無によって、可動部材４１(可動基部５２)の位置を判定するようになっている。第１検知片７０は、可動部材４１における可動基部５２の上端部に設けられ、可動部材４１の待機位置において第１検知片７０が第１検知手段６９の検知部間に位置するよう設定され(図１８参照)、第１検知手段６９による第１検知片７０の検知によって待機位置にある可動部材４１を確認し得るよう構成される。
【００４５】
(第１可動体について)
前記可動部材４１の腕部５３に移動可能に配設された前記第１可動体４３は、可動部材４１の待機位置において腕部５３の右端部で、前記表示部１３ａの上辺における左右方向の略中央において該上辺の外側の待機位置に保持され、該上辺に沿って左右方向に延在している(図５参照)。第１可動体４３は、後述するように可動部材４１が待機位置から作動位置(図６,図２１参照)に移動するのに連動して、腕部５３の左端部に向けて平行移動して、表示部１３ａの上下方向の略中央において左辺側に偏倚した作動位置に至るよう構成される。なお、第１可動体４３は、待機位置および作動位置において前記装飾部材２８の窓口２８ａ内に位置して、前側から視認可能に構成される(図２,図３参照)。
【００４６】
前記第１可動体４３は、図７,図８に示す如く、最前面に位置する装飾カバー体７１と、該装飾カバー体７１の裏側に配設された光透過性を有していない合成樹脂素材から形成された反射板７２と、該反射板７２の裏側に配設された第１発光基板７３とから基本的に構成される。装飾カバー体７１には、パチンコ機１０のモチーフに合わせた文字や図形等の第１図柄４３ａが形成されている。実施例では、装飾カバー体７１を光透過性を有する合成樹脂素材で形成したもとで、第１図柄４３ａを除く部分の表面にメッキ塗装等を施すことで、第１図柄４３ａの部分のみが光透過性を有するよう構成してある。第１発光基板７３の前面には、発光体としての複数のＬＥＤ７３ａが、第１図柄４３ａに対応して配設されると共に、反射板７２には各ＬＥＤ７３ａと対応して前後方向に貫通する通孔７２ａが穿設される。そして、反射板７２の裏面に第１発光基板７３をネジ止めした状態で、各通孔７２ａに対応するＬＥＤ７３ａが臨んで、該ＬＥＤ７３ａの発光により第１図柄４３ａが明輝されるよう構成される。また実施例の第１図柄４３ａは、後述する第２可動体８８,８９に形成された図柄８８ａ,８９ａとによって意味のある一連の図柄を形成すると共に、更に第３可動体１５４に形成された図柄１５４ａを合わせて意味のある一連の図柄を形成するよう構成される。なお、装飾カバー体７１と反射板７２との間には、第１図柄４３ａと対応する位置に、ＬＥＤ７３ａからの光を拡散する光拡散シート７４が介挿されている。
【００４７】
前記反射板７２の裏面には、図８に示す如く、左右方向(第１可動体４３の移動方向)に離間して複数の突部７５が、第１発光基板７３に設けた通孔や切欠等を介して該第１発光基板７３の後方に突出するように設けられると共に、各突部７５には後方に開口するネジ孔７５ａが形成されている。実施例では左右方向に離間して３つの突部７５が設けられ、その内の第１装置本体部４７側に位置する２つの突部７５,７５が、前記腕部５３における前支持部５５の長孔５５ａに移動可能に挿通されている。また、反射板７２の裏面下部には、左右方向に離間して複数の摺動部材７６が配設され、各摺動部材７６が腕部５３の前面に摺動可能に接触するよう構成される。摺動部材７６は、腕部５３に接触する端部が第１発光基板７３より後方に突出すると共に円弧状に形成されて、腕部５３が第１発光基板７３に接触するのを防止すると共に、接触面積を極力小さくするよう構成される。摺動部材７６は、摩擦係数の小さな樹脂材料で形成されて、腕部５３との摺動抵抗をより小さくするようにしてある。なお、反射板７２の裏面上部には、腕部５３に配設した後述する配線カバー８６と協働して配線が第１可動体４３の上方へ延出するのを防止する移動規制部材(図示せず)が左右方向に延在して配設される。
【００４８】
(第１連繋機構について)
前記第１連繋機構４４は、前記第１可動体４３に固定された可動連結部材７８と、該可動連結部材７８と可動部材４１とを連繋する第１作動杆７９と、該第１作動杆７９を可動部材４１の動作に連動して揺動するカム溝８４とから基本的に構成される。可動連結部材７８は、図１５,図１９,図２２に示す如く、前記腕部５３の収容空間Ｓ内で、前記複数の案内ローラ５７を介して左右方向に移動可能に支持される。可動連結部材７８には、第１可動体４３の反射板７２に設けた３つの突部７５に対応する位置の夫々に、前後方向に貫通する通孔７８ａが穿設され、各通孔７８ａに後側から挿通したネジ８０を、対応する突部７５のネジ孔７５ａに螺挿することで、可動連結部材７８と第１可動体４３とが着脱可能に固定されて一体に移動可能に構成される。実施例では、図１９および図２２に示す如く、可動連結部材７８における第１可動体４３の待機位置および作動位置の何れにおいても収容空間Ｓから右方に延出する右端部に１つの通孔７８ａが穿設されると共に、第１可動体４３の待機位置および作動位置の何れにおいても収容空間Ｓ内に臨む部位に２つの通孔７８ａ,７８ａが穿設されている。そして、第１可動体４３を着脱位置に位置させた際に、収容空間Ｓ内に臨む２つの通孔７８ａ,７８ａの夫々が、腕部５３における後支持部５６の対応する孔５６ａの前側に臨んで、該孔５６ａを介して後側からネジ８０を着脱し得るよう構成される(図１２参照)。
【００４９】
前記可動連結部材７８の左端部には、図１０に示す如く、後方に向けて突出するボス部７８ｂが設けられ、該ボス部７８ｂに第１ローラ体８１が回転可能に配設される。第１ローラ体８１は、ボス部７８ｂが回転可能に挿通される軸受部８１ａと、該軸受部８１ａの後端に形成されて径方向に延出するフランジ８１ｂとを備える。前記第１作動杆７９は、下端(長手方向一端)が可動部材４１の可動基部５２に保持部材８２を介して回転可能に枢支されると共に、該第１作動杆７９の上端部側(長手方向他端部側)には、前後方向に貫通する係合孔７９ａが、長手方向に所定長さで延在している。そして、第１作動杆７９は、係合孔７９ａに前記第１ローラ体８１の軸受部８１ａが回転可能に挿通された状態で可動連結部材７８に連繋されている。なお、第１作動杆７９の上端部は、可動連結部材７８と第１ローラ体８１のフランジ８１ｂとの間に位置して、前後方向の変位が規制される。また第１作動杆７９の長手方向の中間位置に、後方に向けて突出するボス部７９ｂが設けられ、該ボス部７９ｂに第２ローラ体８３が回転可能に配設される。第２ローラ体８３は、ボス部７９ｂが回転可能に挿通される軸受部８３ａと、該軸受部８３ａの前端に形成されて径方向に延出するフランジ８３ｂとを備える。
【００５０】
前記第１装置本体部４７における第１ベース部材４０の前面(第１カバー部材４５と対向する面)には、図９に示す如く、上下方向に延在する前記カム溝８４が形成され、該カム溝８４内に、前記第１作動杆７９に配設した第２ローラ体８３の軸受部８３ａが移動可能に挿入される。カム溝８４は、可動部材４１の移動方向に平行に延在する直線部８４ａ、該直線部８４ａの下端に連設されて下方に向かうにつれて左側(表示部１３ａから離間する側)に凸となるよう湾曲する湾曲部８４ｂとからなる。そして、可動部材４１の往復動に伴って第１作動杆７９の第２ローラ体８３がカム溝８４の湾曲部８４ｂに沿って案内されることで、第１作動杆７９が下端を支点として揺動し、前記可動連結部材７８が左右方向に往復移動するよう構成される。すなわち、可動連結部材７８に固定されている前記第１可動体４３が、可動部材４１の往復動に伴って腕部５３に沿って左右方向に平行移動するよう構成される。ここで、可動部材４１の動作に連動して移動する第１可動体４３は、上下方向の動きと左右方向の動きとが合成されて、前記表示部１３ａの上辺における左右方向中央の待機位置と、表示部１３ａの左辺側に偏倚した上下方向中央の作動位置との間を、斜めに平行移動する。なお、実施例のカム溝８４の湾曲部８４ｂにおける下部側の曲率は、該湾曲部８４ｂの上部側の曲率より小さく設定され、第２ローラ体８３が曲率の小さな湾曲部８４ｂを案内される際には第１可動体４３は左右方向へ殆ど変位することなく可動部材４１と共に上下方向に略直線的に移動するよう構成される。
【００５１】
(配線保持構造について)
前記第１可動演出装置３７の配線保持構造について説明する。第１可動演出装置３７では、第１可動体４３に設けた第１発光基板７３に接続される配線は、前記第１ベース部材４０に設けた前記配線通口４０ｃを介して裏部材３２の裏側に取り回される。第１可動体４３が配設される腕部５３の前支持部５５には、前記収容空間Ｓの上側において後側に開口して左右方向に所定長さで延在する配線収容部５５ｂが形成されている。配線収容部５５ｂは、図１６に示す如く、前支持部５５の左端部(可動基部５２を構成する部分)から右方に所定長さで形成されており、該配線収容部５５ｂの後部開口は、前支持部５５の後面に着脱可能にネジ止めされた配線蓋体８５で閉じられて、配線収容部５５ｂに収容した配線の上下および前後への抜け出しが防止されている。なお、配線蓋体８５は、配線収容部５５ｂの左右方向の長さ寸法より短かく設定され(図１９参照)、前記第１装置本体部４７の内部において配線通口４０ｃの前側に臨む位置で配線収容部５５ｂの後部開口は開放したままとされ、該後部開口から引き出された配線が配線通口４０ｃを介して裏側に引き出されるよう構成される。
【００５２】
前記配線蓋体８５の裏面には、第１装置本体部４７の内部から腕部５３に亘って延在する突条部８５ａが突設される。この突条部８５ａは、突出端部が後支持部５６より後方に突出すると共に円弧状に形成されて、前記第１ベース部材４０と後支持部５６とが接触するのを防止すると共に、第１ベース部材４０と突条部８５ａとが接触した際に接触面積を極力小さくして接触抵抗を抑え得るよう構成される(図１４参照)。また、突条部８５ａは、摩擦係数の小さな樹脂材料で形成されて、第１ベース部材４０との接触時の摺動抵抗をより小さくするようにしてある。なお、配線蓋体８５を腕部５３に固定する２つのネジは、第１装置本体部４７に対して可動部材４１を待機位置に位置させた状態で、一方は第１装置本体部４７の外側に位置すると共に、他方は前記配線通口４０ｃに臨んで、後方からのアクセスが可能に構成される(図１２参照)。
【００５３】
前記後支持部５６の上端部には、前記配線蓋体８５の配設位置より右側に配線カバー８６が配設される。配線カバー８６は、図１５に示す如く、第１可動体４３の第１発光基板７３の裏面に対向する後壁部８６ａと、該後壁部８６ａの上端縁から前方に延出する上壁部８６ｂおよび後壁部８６ａの右端縁から前方に延出する右壁部８６ｃとから構成されて、前方および左側方に開口している。配線カバー８６における右壁部８６ｃの突出寸法は、第１発光基板７３と接触することなく、かつ第１発光基板７３との間に配線が通過可能な隙間が形成されない寸法に設定される。また配線カバー８６の上壁部８６ｂにおける延出端は、前記反射板７２に配設した前記移動規制部材に対して上側でオーバーラップし、配線が上壁部８６ｂを越えて上方に延出しないよう構成される。なお、後支持部５６における配線カバー８６の配設位置に対応して、前記配線収容部５５ｂの右端部から導出する配線を結束具(図示せず)で結束する結束部５６ｂが設けられ、該結束部５６ｂに配線を結束することで、該結束部５６ｂより左側での配線の移動を規制している。そして、配線における結束部５６ｂに結束された部位から第１発光基板７３の裏面における後壁部８６ａと対向する位置に配設されたソケット７３ｂに接続される部位が、横向きＵ字状に湾曲された状態で配線カバー８６と第１発光基板７３との間に支持される。これにより配線は、第１可動体４３の待機位置と作動位置との間を移動するに際して配線カバー８６で覆われた領域でのみ曲がり、第１可動体４３の外方に配線が露出して遊技者から見えるようになってしまうのは防止される。なお、配線カバー８６を腕部５３に固定するネジは、後側に露出して後方からのアクセスが可能に構成されている(図１２参照)。
【００５４】
(第２可動演出装置について)
前記第２可動演出装置(可動演出装置)３８は、図５に示すように、裏部材３２における右対向面部３５ｄに設置されている。図２３,図２４に示すように、第２可動演出装置３８は、該第２可動演出装置３８を構成する部材の設置基盤となる第２ベース部材８７と、所定の演出動作を行なう複数の第２可動体８８,８９と、複数の第２可動体８８,８９を往復動する第２駆動部９０および第２連繋機構(第１作動機構)９１と、１つの第２可動体８９のみを往復動する第３駆動部９２および第３連繋機構(第２作動機構)９３と、第２ベース部材８７の前側を覆う第２カバー部材９４とから基本的に構成される。第２可動演出装置３８は、図３１に示す如く、第２ベース部材８７と第２カバー部材９４とから第２駆動部９０の第２伝達部９５および第２連繋機構９１を収容するケース状の第２装置本体部(装置本体部)９６が構成されると共に、第２カバー部材９４に配設されたカバー部品９７,９８を介して第３駆動部９２および第３連繋機構９３が配設され、第２装置本体部９６単位で、第２可動体８８,８９、第２駆動部９０、第２連繋機構９１、第３駆動部９２および第３連繋機構９３を含めて裏部材３２に対して一体的に着脱可能なユニット構造になっている。また第２可動演出装置３８は、第２装置本体部９６が前記図柄表示装置１３の表示部１３ａの右辺(第２の辺)の外側に配置されると共に(図４参照)、前記第２可動体８８,８９が前記装飾部材２８の窓口２８ａ内に臨んで、前側から第２可動体８８,８９が視認可能に構成される(図２参照)。
【００５５】
実施例では、第２可動演出装置３８は、２つの第２可動体８８,８９を備えており、以後の説明において一方の第２可動体(第２の可動体)８９を、直動第２可動体８９と指称すると共に、他方の第２可動体(第１の可動体)８８を斜動第２可動体８８と指称するものとする。第２可動演出装置３８では、２つの第２可動体８８,８９が、前記図柄表示装置１３の表示部１３ａにおける右辺の前側に重なった位置において、作動位置に至った前記第１可動体４３を通って表示部１３ａの上辺(第１可動体４３が待機位置で臨む第１辺)と平行な直線Ｌを挟んで上下方向(右辺の延在方向)に並んだ待機位置で待機する(図５参照)。そして、待機位置において下側に位置する直動第２可動体８９については、待機位置と、該待機位置から右辺に沿って上方に変位した作動位置との間を表示部１３ａの前面に対して平行な姿勢を保ったまま往復動すると共に、待機位置において上側に位置する斜動第２可動体８８については、待機位置と、該待機位置から表示部１３ａの中央側に向けた左斜め下方の表示部１３ａ前側に変位した作動位置との間を表示部１３ａの前面に対して平行な姿勢を保ったまま往復動するよう構成されている(図３２〜図３８参照)。また、２つの第２可動体８８,８９が作動位置に至った状態で、図６に示す如く、作動位置の前記第１可動体４３と、上辺に平行な直線状に並ぶよう構成される。
【００５６】
前記第２ベース部材８７は、図２５,図２９等に示す如く、裏部材３２の右対向面部３５ｄに当接する板状部分の周縁部から前方へ壁が立ち上がる前方に開口する箱状体であって、透明な合成樹脂素材から形成されている。また第２カバー部材９４は、図２５,図２９等に示す如く、第２ベース部材８７の前部開口を被覆可能な板状部分の周縁部から後方へ壁が立ち上がる後方に開口する箱状体であって、透明な合成樹脂素材から形成されている。そして、第２ベース部材８７の壁に第２カバー部材９４の壁を当接した状態で、両部材８７,９４がねじ止め固定されることで、前記第２伝達部９５、第２連繋機構９１等を収容する空間を画成した前記第２装置本体部９６が構成される(図３４参照)。
【００５７】
前記第２装置本体部９６の左側部(表示部１３ａ側の側部)には、第２ベース部材８７および第２カバー部材９４との間に、第２連繋機構９１のリンク杆１０９,１１０(後述)が挿通されるリンク挿通口９６ａが画成される。リンク挿通口９６ａは、前後寸法がリンク杆１０９,１１０の前後寸法より若干大きく設定されると共に、上下寸法がリンク杆１０９,１１０の上下変位を許容し得る幅に設定され、リンク挿通口９６ａに挿通したリンク杆１０９,１１０の上下方向の変位を許容しつつ前後方向のぶれを抑制し得るようになっている。
【００５８】
(斜動第２可動体について)
待機位置において前記直動第２可動体８９の上方に保持される前記斜動第２可動体８８は、図２３,図２７に示す如く、最前面に位置する斜動用装飾カバー体９９と、該斜動用装飾カバー体９９の裏側に配設された光透過性を有していない合成樹脂素材から形成された斜動用反射板１００と、該斜動用反射板１００の裏側に配設された斜動用第２発光基板１０１とから基本的に構成される。斜動用装飾カバー体９９には、パチンコ機１０のモチーフに合わせた文字や図形等の斜動用第２図柄８８ａが形成されている。実施例では、斜動用装飾カバー体９９を光透過性を有する合成樹脂素材で形成したもとで、斜動用第２図柄８８ａを除く部分の表面にメッキ塗装等を施すことで、斜動用第２図柄８８ａの部分のみが光透過性を有するよう構成してある。斜動用第２発光基板１０１の前面には、発光体としての複数のＬＥＤ１０１ａが、斜動用第２図柄８８ａに対応して配設されると共に、斜動用反射板１００には各ＬＥＤ１０１ａと対応して前後方向に貫通する通孔１００ａが穿設される。そして、斜動用反射板１００の裏面に斜動用第２発光基板１０１をネジ止めした状態で、各通孔１００ａに対応するＬＥＤ１０１ａが臨んで、該ＬＥＤ１０１ａの発光により斜動用第２図柄８８ａが明輝されるよう構成される。また実施例の斜動用第２図柄８８ａは、直動第２可動体８９に形成された後述する直動用第２図柄８９ａおよび前記第１可動体４３に形成された第１図柄４３ａとによって意味のある一連の図柄を形成すると共に、更に第３可動体１５４に形成された第３図柄１５４ａを合わせて意味のある一連の図柄を形成するよう構成される。なお、斜動用装飾カバー体９９と斜動用反射板１００との間には、斜動用第２図柄８８ａと対応する位置に、ＬＥＤ１０１ａからの光を拡散する斜動用光拡散シート１０２が介挿されている。
【００５９】
前記斜動用反射板１００の裏面には、図２７に示す如く、上下方向(右辺に沿う方向)に離間して複数の支持突部１０３が、斜動用第２発光基板１０１に設けた通孔や切欠等を介して該斜動用第２発光基板１０１の後方に突出するように設けられると共に、各支持突部１０３には後方に開口する嵌合孔１０３ａが形成されている。実施例では上下方向に離間して３つの支持突部１０３が設けられ、これら３つの支持突部１０３には、各嵌合孔１０３ａに前端部が嵌挿された軸部品１０４が後方に突出して設けられ、各軸部品１０４に、第２連繋機構９１を構成する後述の第２作動杆１０７およびリンク杆１０９,１１０が夫々回転可能に連結される。なお、斜動用第２発光基板１０１の裏面には、最下部と中間部の２つの支持突部１０３,１０３の間において右側に偏倚してソケット１０１ｂが配設され、該ソケット１０１ｂに配線が接続される。
【００６０】
(第２連繋機構について)
前記第２連繋機構９１は、図２３,図２４,図２５,図２９等に示す如く、前記第２装置本体部９６に上下動可能に配設された作動部材１０５と、該作動部材１０５に配設されたラック部材(押圧部材)１０６と、作動部材１０５および斜動第２可動体８８を連繋する第２作動杆(作動杆)１０７と、第２装置本体部９６および斜動第２可動体８８に連繋された平行リンク機構１０８と、第２作動杆１０７を作動部材１０５の動作に連動して移動するためのカム孔９４ｃ,１０５ｃとから基本的に構成される。そして、第２連繋機構９１は、第２駆動部９０の後述する第２モータ１２０の駆動によって、斜動第２可動体８８を待機位置に移動した第１位置(図３２,図３３)および該斜動第２可動体８８を作動位置に移動した第２位置(図３６,図３７,図３８)との間で移動するよう構成される。
【００６１】
(平行リンク機構について)
前記平行リンク機構１０８は、一対のリンク杆１０９,１１０から構成され、両リンク杆１０９,１１０は、長手方向の一端部(下端部)が、第２装置本体部９６の内部に回転可能に連繋されると共に、前記リンク挿通口９６ａを介して第２装置本体部９６の外方に延出する両リンク杆１０９,１１０の長手方向の他端部(上端部)が、前記斜動第２可動体８８に回転可能に連繋されている(図３３〜図３８参照)。すなわち、平行リンク機構１０８を構成する一方の第１リンク杆１０９の下端部は、前記直線Ｌより下方において第２ベース部材８７と第２カバー部材９４との間に配設された第１回動軸１１１に通孔が挿通されて回転可能に軸支される。また第１リンク杆１０９の上端部は、斜動第２可動体８８に設けた中間部の支持突部１０３に嵌挿した軸部品１０４に回転可能に軸支される。
【００６２】
前記第１リンク杆１０９とにより平行リンク機構１０８を構成する他方の第２リンク杆１１０の長手方向の一端部(下端部)は、前記第２ベース部材８７と第２カバー部材９４との間において前記第１回動軸１１１の配設位置より下方に配設された第２回動軸１１２を通孔に通挿することで回転可能に軸支される。また第２リンク杆１１０の長手方向の他端部(上端部)は、前記斜動第２可動体８８に設けた最下部の支持突部１０３に嵌挿した軸部品１０４に回転可能に軸支される。すなわち、第２装置本体部９６に対して一対のリンク杆１０９,１１０からなる平行リンク機構１０８で連繋された斜動第２可動体８８は、姿勢を変えることなく平行移動し得るよう構成される。なお、第２カバー部材９４には、両リンク杆１０９,１１０の移動経路に前後で重なる位置に、図２５,図２９に示す如く、２つの上向き凸状の弧状ガイド孔９４ａ,９４ａが上下に離間して形成されている。そして、第１リンク杆１０９の長手方向の中間位置に回転可能に枢支した第１ローラ部材１１３が上側の弧状ガイド孔９４ａに回転可能でかつガイド孔９４ａに沿って移動可能に臨むと共に、第２リンク杆１１０の長手方向の中間位置に回転可能に枢支した第２ローラ部材１１４が他方の弧状ガイド孔９４ａに回転可能でかつガイド孔９４ａに沿って移動可能に臨んでいる(図３２,図３６参照)。これにより、一対のリンク杆１０９,１１０は、対応する回動軸１１１,１１２を中心として安定して揺動するよう構成される。また両ローラ部材１１３,１１４は、軸部から径方向に延出するフランジを備えた一対の半体を、弧状ガイド孔９４ａの両側にフランジが臨むように連結して構成されることで、該ローラ部材１１３,１１４は、対応する弧状ガイド孔９４ａ,９４ａに対して前後方向への移動が規制されており、リンク杆１０９,１１０は、長手方向の中間部において前後方向へのぶれが抑制されるようになっている。
【００６３】
ここで、前記斜動第２可動体８８の軸部品１０４には、前記支持突部１０３から後方への突出部分にスペーサ１１５が配設され、該スペーサ１１５から後方へ突出する軸部品１０４の後端部に前記各リンク杆１０９,１１０が枢支されて、該リンク杆１０９,１１０と斜動第２可動体８８(斜動用第２発光基板１０１)の裏面との間に、前記第２カバー部材９４における後述する上部延出部９４ｄの挿通を許容する隙間を確保するよう構成される。また上側(上部延出部９４ｄ側)に臨む第１リンク杆１０９の上縁部には、上部延出部９４ｄと対応する位置に、外方に突出する案内突部１０９ａが設けられ、該案内突部１０９ａの前面には、突出端に向かうにつれて後側に退避する傾斜が形成されている。すなわち、第１リンク杆１０９が第１位置から第２位置(斜動第２可動体８８の作動位置から待機位置)へ移動する際に前記上部延出部９４ｄの後側に重なる位置に移動するときに、案内突部１０９ａによって該第１リンク杆１０９を上部延出部９４ｄの後側に確実に案内し得るよう構成される。
【００６４】
前記第１回動軸１１１には、復帰補助手段としてのねじりコイルバネ１１６が配設され、該ねじりコイルバネ１１６によって第１リンク杆１０９には、斜動第２可動体８８を待機位置に向けて移動する方向へ回転する付勢力が常に付与されるよう構成される。ねじりコイルバネ１１６は、コイル部１１６ａと、２つの弾性腕部１１６ｂ,１１６ｃとを備え、コイル部１１６ａに第１回動軸１１１が挿通された状態で、一方の弾性腕部１１６ｂが第１リンク杆１０９の上縁部に設けたバネ係止部１０９ｂに係止されると共に、他方の弾性腕部１１６ｃが第２カバー部材９４に設けたバネ係止部９４ｂに係止され、実施例ではねじりコイルバネ１１６により第１リンク杆１０９が上向きに回転するように付勢されている。
【００６５】
前記第２リンク杆１１０の裏面には、図２９,図３５,図３８に示す如く、配線フック１１０ａが長手方向に離間して複数設けられ、前記斜動用第２発光基板１０１のソケット１０１ｂに接続された配線は、該第２リンク杆１１０の裏側を配線フック１１０ａに係止した状態で引き回された後、第２装置本体部９６の内部に、前記リンク挿通口９６ａから引き込まれるよう構成される。また第２リンク杆１１０の裏面には、複数の配線フック１１０ａを挟む長手方向の両側に、図示しない結束具によって配線を結束する結束部１１０ｂが夫々設けられ、第２リンク杆１１０の裏側を引き回される配線が後方に大きく延出するのを防止するよう構成してある。なお、両リンク杆１０９,１１０の前面には、該リンク杆１０９,１１０における前側から視認可能な部位に装飾板１１７が夫々配設されて、見栄えが低下するのを防止している(図３０参照)。
【００６６】
(作動部材について)
前記作動部材１０５は、図２５,図２９,図３０に示す如く、前記第２カバー部材９４の前側に位置する板状の部材であって、左右方向(第２辺と直交する方向)に延在する横部１０５ａと、該横部１０５ａの右端部から下方に延在する縦部１０５ｂとを備え、該縦部１０５ｂが、第２装置本体部９６の内部に配設された前記ラック部材１０６にネジ止め固定されて、該ラック部材１０６と一体で移動するよう構成される。また作動部材１０５の横部１０５ａには、前後に貫通する第１カム孔１０５ｃが左右方向に延在して形成され、該第１カム孔１０５ｃに、前記第２作動杆１０７の長手方向の一端部(上端部)が回転可能で、かつ左右方向に移動可能に連繋されている。
【００６７】
前記第２作動杆１０７の上端部は、第２カバー部材９４と作動部材１０５との間に臨むと共に、該上端部には、通孔に嵌挿した軸ピン１１８が前後に突出した状態で配設される。該軸ピン１１８における前側に突出する部分にローラ部材１１９が回転可能に枢支され、該ローラ部材１１９が前記作動部材１０５の第１カム孔１０５ｃに回転可能でかつ左右方向に移動可能に臨んでいる。そして、第２作動杆１０７の下端部が、斜動第２可動体８８に設けた最上部の支持突部１０３に嵌挿した軸部品１０４のスペーサ１１５から後方に突出する端部に回転可能に連繋されている。また第２カバー部材９４には、上下方向に延在する第２カム孔９４ｃが形成され、該第２カム孔９４ｃ内に、第２作動杆１０７に配設した軸ピン１１８の後側に突出する部分が移動可能に挿入されている。第２カム孔９４ｃは、上側から下側に向かうにつれて左側に偏倚するよう下側に凸の湾曲形状に形成されている。そして、作動部材１０５の上下方向の往復動に伴って軸ピン１１８が第２カム孔９４ｃに沿って案内されることで、第２作動杆１０７が上下方向に移動しつつ第１カム孔１０５ｃに沿って左右方向に移動するよう構成される(図３２,図３６参照)。これにより、前記平行リンク機構１０８で支持されている斜動第２可動体８８が、待機位置と作動位置との間を表示部１３ａの前面に沿って平行移動する。ここで、斜動第２可動体８８は、第２作動杆１０７の上下方向の動きと左右方向の動きとが合成されて、表示部１３ａの右辺側の待機位置と、表示部１３ａの前中央側であって上下方向中央の作動位置との間を、斜めに平行移動する。
【００６８】
前記第２カバー部材９４には、前記直線Ｌより上方位置において、前記第２ベース部材８７の左端縁(表示部１３ａ側の端縁)より外方に延出する上部延出部９４ｄが設けられ、前記第２カム孔９４ｃは、第２カバー部材９４の上端部において右側に偏った位置から上部延出部９４ｄの延出端まで形成される(図２９参照)。そして、第２作動杆１０７の軸ピン１１８が第２カム孔９４ｃにおける上部延出部９４ｄの延出端側の端部に至ったときに、図３６に示すように斜動第２可動体８８は、前記直動第２可動体８９と干渉しない左側の作動位置に至るよう構成される。
【００６９】
(第２駆動部について)
前記第２駆動部９０は、図２３,図２４,図２５および図２９に示す如く、第２モータ(駆動手段,第１駆動手段)１２０と、この第２モータ１２０および作動部材１０５を連繋して、第２モータ１２０の回転を作動部材１０５の動作に変換する第２伝達部９５とから構成される。実施例では、第２モータ１２０として、前記制御装置の制御下に駆動または駆動停止されるステッピングモータが用いられている。第２モータ１２０は、第２ベース部材８７の上端部後面に取付けられ(図３１参照)、裏部材３２の右対向面部３５ｄに凹設された右側凹部(図示せず)に臨むと共に、該第２モータ１２０の出力軸を第２ベース部材８７に穿設した通孔を通して第２装置本体部９６内に突出している。
【００７０】
前記第２伝達部９５は、第２モータ１２０の出力軸に固定された駆動歯車１２１と、該駆動歯車１２１に噛合する複数の従動歯車１２２と、最終段の従動歯車１２２に噛合するピニオン１２３と、前記作動部材１０５の縦部１０５ｂにネジ止めされ、ピニオン１２３に噛合するラック部材１０６とから構成され、ピニオン１２３の正逆回転を作動部材１０５の直線運動に変換する所謂ラックアンドピニオン構造になっている(図３３,図３４,図３５,図３７,図３８参照)。駆動歯車１２１、複数の従動歯車１２２およびピニオン１２３は、第２装置本体部９６の内部に配設されると共に、ラック部材１０６は、第２装置本体部９６の内部における右端部(表示部１３ａから離間する端部)で上下方向に移動可能に配設される。なお、ラック部材１０６は、前述したように第２連繋機構９１を構成する部材を兼用している。
【００７１】
前記ラック部材１０６の前面上端部に、図２９に示す如く、上下方向に延在する前突部１０６ａが突設されると共に、該ラック部材１０６の後面上端部に、上下方向に延在する後突部１０６ｂが突設されている。第２装置本体部９６に収容されるラック部材１０６は、図３１に示す如く、第２カバー部材９４に前後に貫通して上下方向に延在するよう形成された前長孔９４ｅに前突部１０６ａが摺動可能に挿通されると共に、第２ベース部材８７に前後に貫通して上下方向に延在するよう形成された後長孔８７ａに後突部１０６ｂが摺動可能に挿通されており、該ラック部材１０６は、前後両長孔９４ｅ,８７ａに沿って上下方向に直線的に往復動し得るよう構成される。そして、前記作動部材１０５の縦部１０５ｂが、前突部１０６ａにネジ止めされることで、作動部材１０５はラック部材１０６と一体で上下方向に往復動するようになっている。
【００７２】
前記第２可動演出装置３８は、前記第２ベース部材８７の上端部に設置されて斜動第２可動体８８の位置を判定するフォトセンサ等からなる第２検知手段１３４を備え(図３４または図３７参照)、第２検知手段１３４は、制御装置に電気的に接続されて検知信号が制御装置に入力されるようになっている。第２検知手段１３４は、該第２検知手段１３４における対向する検知部間を通過するように配置されたラック部材１０６の第２検知片１３５の有無によって、斜動第２可動体８８(作動部材１０５)の位置を判定するよう構成される。第２検知片１３５は、ラック部材１０６の後突部１０６ｂに、第２ベース部材８７の後側でネジ止めされ、斜動第２可動体８８の待機位置において第２検知片１３５が第２検知手段１３４の検知部間に位置するよう設定され、第２検知手段１３４による第２検知片１３５の検知によって待機位置にある斜動第２可動体８８を確認し得るよう構成される。
【００７３】
(直動第２可動体について)
前記直動第２可動体８９は、図２３,図２４,図２８に示す如く、最前面に位置する直動用装飾カバー体１３６と、該直動用装飾カバー体１３６の裏側に配設された光透過性を有していない合成樹脂素材から形成された直動用反射板１３７と、該直動用反射板１３７の裏側に配設された直動用第２発光基板１３８とから基本的に構成される。直動用装飾カバー体１３６には、パチンコ機のモチーフに合わせた文字等の直動用第２図柄８９ａが形成される。実施例では、直動用装飾カバー体１３６を光透過性を有する合成樹脂素材で形成したもとで、直動用第２図柄８９ａを除く部分の表面にメッキ塗装等を施すことで、直動用第２図柄８９ａの部分のみが光透過性を有するよう構成してある。直動用第２発光基板１３８の前面には、発光体としての複数のＬＥＤ１３８ａが、直動用第２図柄８９ａに対応して配設されると共に、直動用反射板１３７には各ＬＥＤ１３８ａと対応して前後方向に貫通する通孔１３７ａが穿設される。そして、直動用反射板１３７の裏面に直動用第２発光基板１３８をネジ止めした状態で、各通孔１３７ａに対応するＬＥＤ１３８ａが臨んで、該ＬＥＤ１３８ａの発光により直動用第２図柄８９ａが明輝されるよう構成される。また、実施例の直動用第２図柄８９ａは、前記斜動第２可動体８８に形成された斜動用第２図柄８８ａおよび前記第１可動体４３に形成された第１図柄４３ａとによって意味のある一連の図柄を形成すると共に、更に第３可動体１５４に形成された第３図柄１５４ａを合わせて意味のある一連の図柄を形成するよう構成される。なお、直動用装飾カバー体１３６と直動用反射板１３７との間には、直動用第２図柄８９ａと対応する位置に、ＬＥＤ１３８ａからの光を拡散する直動用光拡散シート１３９が介挿されている。
【００７４】
ここで、実施例では前記第１可動体４３および２つの第２可動体８８,８９は、図６に示す如く、前記図柄表示装置１３の表示部１３ａの前側である作動位置において、左側から右側へ第１可動体４３、斜動第２可動体８８および直動第２可動体８９の順で直線状に並び、この状態で第１図柄４３ａ、斜動用第２図柄８８ａおよび直動用第２図柄８９ａにより一連の意味のある図柄が形成されるよう構成される。また、図５に示すように、待機位置において第１可動体４３が表示部１３ａの上辺に沿って位置すると共に、待機位置において表示部１３ａの右辺に沿って上側から下側へ斜動第２可動体８８および直動第２可動体８９の順で並んでいる状態で、第１図柄４３ａ、斜動用第２図柄８８ａおよび直動用第２図柄８９ａにより、作動位置で直線状に並んだときと共通する一連の意味のある図柄が形成されるようになっている。
【００７５】
前記直動用反射板１３７には、図２３に示す如く、直動用第２発光基板１３８から右方に延出する取付部１３７ｂが設けられ、該取付部１３７ｂが、前記第３連繋機構９３に連繋されている。なお、取付部１３７ｂの左端部側には前後方向に貫通する貫通口１３７ｃが形成され、直動用第２発光基板１３８の前面に設けられたソケット１３８ｂが貫通口１３７ｃに臨むよう構成される。そして、ソケット１３８ｂに接続された配線は、直動用装飾カバー体１３６の右端部に、取付部１３７ｂとの間に設けた隙間を介して右方に引き出される。なお、直動用装飾カバー体１３６の左端部(取付部１３７ｂが設けられる側とは反対側の端部)に、後方に突出する規制突部１４０ａを備える規制体１４０が配設される(図２８参照)。規制突部１４０ａは、第２カバー部材９４の前面に配設した装飾部品１４１の前面に摺動当接可能に構成され、直動第２可動体８９が上下動する際に第３連繋機構９３との連繋部から離間する左端部が後方に変位するのを抑制するベく機能する。
【００７６】
前記装飾部品１４１は、図２３,図３０に示す如く、実施例では第２カバー部材９４の前面の３箇所に配設され、最下部の装飾部品１４１に前記規制突部１４０ａが摺動当接可能になっている。そして、該最下部の装飾部品１４１には、前記弧状ガイド孔９４ａ,９４ａの夫々に対応して逃部１４１ａが形成されて、該弧状ガイド孔９４ａ,９４ａで案内される前記ローラ部材１１３,１１４との干渉を防止している。
【００７７】
(第３駆動部について)
前記第３駆動部９２は、図２３,図２４,図２６に示す如く、ソレノイド(第２駆動手段)１４２と、このソレノイド１４２により作動される第３伝達部１４３とから構成される。前記第２カバー部材９４の前面下端部にソレノイド用設置凹部９４ｆが形成され(図２５,図３１参照)、該ソレノイド用設置凹部９４ｆにソノレイド１４２がプランジャ１４２ａを上向きとした姿勢で設置される。また第２カバー部材９４には、ソレノイド用設置凹部９４ｆの上側に、第３伝達部設置部１４４が設けられ、該第３伝達部設置部１４４に第３伝達部１４３が設置される(図３２,図３６参照)。第３伝達部１４３は、プランジャ１４２ａに連結された第１作動体１４５と、第３伝達部設置部１４４に長手方向の中間が回転可能に枢支されると共に長手方向の一端が第１作動体１４５に回転可能に枢支されたシーソー部材１４６と、該シーソー部材１４６の長手方向の他端が回転可能に枢支された第２作動体１４７とを備える。第１作動体１４５および第２作動体１４７は、図３２および図３６に示す如く、左右方向に離間して第３伝達部設置部１４４に上下動可能に配設され、両作動体１４５,１４７の間の第３伝達部設置部１４４に設けた軸にシーソー部材１４６の長手方向の中間が回転可能に軸支されている。そして、シーソー部材１４６における軸支部を挟んで右方に延在する端部が第１作動体１４５に軸を介して回転可能に軸支されると共に、軸支部を挟んで左方に延在する端部が第２作動体１４７に軸を介して回転可能に軸支されている。すなわち、ソレノイド１４２の励磁・消磁によって、第１作動体１４５が上下動するのに伴って、シーソー部材１４６を介して第２作動体１４７が逆向きに上下動するよう構成される。なお、ソレノイド１４２および第３伝達部１４３は、第２カバー部材９４の前面にネジ止めされる第１カバー部品９７によって第３伝達部設置部１４４に対して脱落不能に位置決めされる。
【００７８】
前記第３伝達部設置部１４４における第２作動体１４７を上下動可能に支持する設置部は、図２５に示す如く、左右に離間する一対の規制壁１４４ａ,１４４ａと、各規制壁１４４ａの上端から他方の規制壁１４４ａに向けて延在する上壁１４４ｂとを備える。第２作動体１４７は、正面視において凸状に形成されて、図３２,図３６および図３９に示す如く、両規制壁１４４ａ,１４４ａで案内されつつ上下動すると共に、上動時に上側の突出部分が上壁１４４ｂ,１４４ｂ間の隙間から上方に突出することで、第３連繋機構９３の後述する第２部材１５０を押上げ得るよう構成される。
【００７９】
(第３連繋機構について)
前記第３連繋機構９３は、図２３,図２４,図２６に示す如く、前記第２カバー部材９４の前面に回転可能に配設した作動ピニオン(連繋体)１４８と、該作動ピニオン１４８の右側に位置して前記第２連繋機構９１のラック部材１０６と接離可能な第１部材１４９および作動ピニオン１４８の左側に位置して前記直動第２可動体８９に配設されると共に前記第３伝達部１４３の第２作動体１４７と接離可能な第２部材１５０とを備える。第１部材１４９は、作動ピニオン１４８側の側縁にラック歯１４９ａが形成されて、該ラック歯１４９ａが作動ピニオン１４８に噛合し、また第２部材１５０は、作動ピニオン１４８側の側縁にラック歯１５０ａが形成されて、該ラック歯１５０ａが作動ピニオン１４８に噛合しており、作動ピニオン１４８の正転および逆転によって、第１部材１４９と第２部材１５０とは相互に反対方向に上下動するよう構成される。なお、第２カバー部材９４の前面には、第３連繋機構９３を覆うと共に、第３連繋機構９３の位置決めおよび案内機能を有する第２カバー部品９８がネジ止めされている。
【００８０】
前記作動ピニオン１４８は、第２カバー部材９４と第２カバー部品９８との間に配設した軸に回転可能に軸支される。第２カバー部材９４における作動ピニオン１４８の配設位置より右側には、前後方向に貫通して上下方向に延在する案内用スリット９４ｇが形成されると共に(図２５参照)、第２カバー部品９８における案内用スリット９４ｇの前側に対向する位置には、前側に凹む案内溝９８ａ(図２６参照)が、案内用スリット９４ｇと略同じ長さで上下方向に平行に延在して形成されている。前記第１部材１４９の裏面には、後方に突出するガイド板１４９ｂが上下方向の全長に亘って形成されると共に、該第１部材１４９の前面には、上下方向に離間して一対のガイド突起１４９ｃ,１４９ｃが前方に向けて突設される。そして、第１部材１４９は、ガイド板１４９ｂを案内用スリット９４ｇに摺動可能に挿通すると共に、ガイド突起１４９ｃ,１４９ｃを案内溝９８ａに摺動可能に挿入することで、該第１部材１４９は案内用スリット９４ｇおよび案内溝９８ａに沿って上下方向に直線的に移動し得るよう支持される(図３１参照)。また、ガイド板１４９ｂは、案内用スリット９４ｇから第２装置本体部９６内に突出し、該突出部分の上端が、前記第２連繋機構９１におけるラック部材１０６の下側に対向するよう位置し、ラック部材１０６の下端がガイド板１４９ｂの上端に当接可能に構成される(図３５,図３８参照)。
【００８１】
前記第２カバー部品９８における作動ピニオン１４８の配設位置より左側には、図２６に示す如く、前後方向に貫通して上下方向に延在する案内孔９８ｂが、前記案内溝９８ａと平行に形成される。これに対して前記第２部材１５０の前面には、上下方向に離間して一対の取着用突起１５０ｂ,１５０ｂが前方に向けて突設されており、該取着用突起１５０ｂ,１５０ｂを案内孔９８ｂに摺動可能に挿入することで、該第２部材１５０は案内孔９８ｂに沿って上下方向に直線的に移動し得るよう支持される。また、各取着用突起１５０ｂには前側に開口するネジ孔が形成されており、該取着用突起１５０ｂにおける第２カバー部品９８の前側に突出する前端に、前記直動第２可動体８９の取付部１３７ｂをネジ止めすることで、直動第２可動体８９が第２部材１５０と一体で移動するよう構成される。
【００８２】
なお、前記第２部材１５０の前面には、両取着用突起１５０ｂ,１５０ｂの間に、該取着用突起１５０ｂ,１５０ｂより突出寸法が小さく、かつ案内孔９８ｂを介して第２カバー部品９８の前面に突出する規制リブ１５０ｃが形成されている。また案内孔９８ｂから前側に突出する取着用突起１５０ｂ,１５０ｂには、上下端部に通孔を形成した板体１５１が、通孔に取着用突起１５０ｂ,１５０ｂを挿通すると共に規制リブ１５０ｃの前端に後面を当接した状態で取付けられ、該板体１５１を挟んで前記直動第２可動体８９の取付部１３７ｂが取着用突起１５０ｂ,１５０ｂにネジ止めされている。すなわち、板体１５１を規制リブ１５０ｃの前端に当接することで、板体１５１と第２カバー部品９８との間には隙間が生じ、第２部材１５０と直動第２可動体８９の取付部１３７ｂとで第２カバー部品９８を挟持してしまうのを防いで、直動第２可動体８９(第２部材１５０)のスムーズな移動が確保されるようになっている。
【００８３】
前記第２カバー部材９４の前面には、図２５に示す如く、前記案内用スリット９４ｇの下端に対応してストッパ９４ｈが設けられ、該ストッパ９４ｈに、前記第１部材１４９の下端が当接することで該第１部材１４９の下降を規制するよう構成される。また前記第２カバー部材９４の後面には、前記ソレノイド用設置凹部９４ｆを凹設することで後方に突出する段部が形成され、該段部に下端が係止された復帰手段としての圧縮コイルバネ１５２の上端部(第１部材１４９におけるガイド板１４９ｂの端部と対向する端部)に、押し部品１５３が取付けられている。そして、押し部品１５３は、圧縮コイルバネ１５２の弾力によって常に第１部材１４９におけるガイド板１４９ｂの下端に当接する方向へ付勢されている。すなわち、第１部材１４９は、常に圧縮コイルバネ１５２の弾力によって上方位置に向けて付勢されると共に、作動ピニオン１４８に噛合している第２部材１５０は下方位置に向けて付勢される。従って、第１部材１４９および第２部材１５０に圧縮コイルバネ１５２以外の外力が加わっていない状態で、第２部材１５０は、下端が前記第２作動体１４７の設置部を構成する上壁１４４ｂ,１４４ｂに当接する原位置に位置(図３２参照)し、このとき該第２部材１５０に配設されている直動第２可動体８９が前記待機位置に保持されるよう構成される。
【００８４】
前記第２連繋機構９１が第１位置(斜動第２可動体８８が待機位置)に位置し、第３連繋機構９３が原位置に位置する状態で、図３３に示す如く、第２連繋機構９１のラック部材１０６と第３連繋機構９３の第１部材１４９とは上下方向に離間している。そして、第２連繋機構９１が第１位置から第２位置に移動する途中の接触位置で、図３４に示す如く、ラック部材１０６が第１部材１４９に接触し、この接触状態で第２連繋機構９１が第２位置に向けて移動することで、第１部材１４９がラック部材１０６で押されて下方に移動し、これによって前記作動ピニオン１４８を介して第２部材１５０が上方へ移動するよう構成される(図３７参照)。第２連繋機構９１が第２位置に到来することで、図３７に示す如く、第２部材１５０が最上方の可動位置に至り、このときに直動第２可動体８９が作動位置に到来するようになっている。また、第２連繋機構９１が第２位置から接触位置まで移動する間は、前記圧縮コイルバネ１５２の弾力によって第１部材１４９はラック部材１０６に当接するように付勢され、よってラック部材１０６と第１部材１４９とが一体で上方に移動することで、作動ピニオン１４８を介して第２部材１５０が下方に移動するようになっている。すなわち、ラック部材１０６が接触位置と第２位置との間を移動する間は、該ラック部材１０６と第１部材１４９との接触状態が維持され、第２連繋機構９１の移動に伴って第３連繋機構９３が原位置と可動位置との間を一体的に移動する。
【００８５】
前記第２連繋機構９１により待機位置と作動位置との間を往復動する斜動第２可動体８８の軌道は、前記第３連繋機構９３により待機位置と作動位置との間を往復動する直動第２可動体８９の軌道と一部が重なるように設定されている。すなわち、実施例では待機位置において斜動第２可動体８８の下方に離間して位置する直動第２可動体８９は、待機位置および作動位置の間の干渉位置と作動位置との間を移動する領域において、待機位置および作動位置の間の干渉位置と待機位置との間を移動する斜動第２可動体８８と接触干渉する関係に設定されている。但し、実施例では第２連繋機構９１のラック部材１０６が、第３連繋機構９３の第１部材１４９と接触する接触位置まで移動する間に、該第２連繋機構９１によって斜動第２可動体８８が干渉位置より作動位置側に移動し、ラック部材１０６が第１部材１４９と接触した状態で第２連繋機構９１と連動する第３連繋機構９３により移動する直動第２可動体８９が斜動第２可動体８８と接触しないよう構成される。すなわち、斜動第２可動体８８は、第２連繋機構９１が接触位置と第２位置との間で移動する際には、直動第２可動体８９の軌道から外れた位置を移動するようになっている。
【００８６】
ここで、前記第３駆動部９２(ソレノイド１４２)による第３連繋機構９３の移動範囲は、第３駆動部９２の第２作動体１４７が第３連繋機構９３の第２部材１５０と接触した状態で上下動した際に、前記作動ピニオン１４８を介して第２部材１５０とは逆方向に上下動する第１部材１４９が、待機位置の第２連繋機構９１のラック部材１０６と接触しないように設定される。また、第３駆動部９２を作動したときの直動第２可動体８９の移動範囲は、前記干渉位置より待機位置側に設定され、ソレノイド１４２の駆動時に直動第２可動体８９と斜動第２可動体８８とが接触しないよう構成される(図３９参照)。
【００８７】
(第３可動演出装置について)
前記裏部材３２の下対向面部３５ｂには、図５に示す如く、第３可動体１５４を備えた第３可動演出装置３９が配設されている。第３可動演出装置３９は、第３可動体１５４を、前記表示部１３ａの下辺(第１の辺と平行な辺)の外側の待機位置(図５)と、表示部１３ａの前側に臨んで作動位置に至って左右方向に直線状に並んだ前記第１可動体４３および第２可動体８８,８９の下側に並ぶ作動位置(図６)との間を、表示部１３ａの前面と平行な姿勢を保持して上下方向に往復動するよう構成される。また第３可動体１５４には、第１可動体４３や第２可動体８８,８９と同様に、パチンコ機のモチーフに合わせた文字や図形等の第３図柄１５４ａが形成されており、該第３図柄１５４ａは、第３可動演出装置３９に内蔵の第３発光基板(図示せず)のＬＥＤを発光することで明輝し得るよう構成される。更に、第３図柄１５４ａは、表示部１３ａの前側で直線状に並んだ第１可動体４３の第１図柄４３ａおよび第２可動体８８,８９の第２図柄８８ａ,８９ａの図柄列の下側に並んで、一連の図柄を形成し得るよう構成されている。
【００８８】
〔実施例の作用〕
次に、前述した実施例に係るパチンコ機の作用につき説明する。
【００８９】
前記遊技領域１８ａに打ち出されたパチンコ球は、前記装飾部材２８の外周囲を流下し、該パチンコ球が前記球導入部３０に通入すると、該パチンコ球は前記ステージ２９に通出され、該ステージ２９を左右に転動した後に遊技領域１８ａに排出され、このパチンコ球は第１始動入賞装置２３や普通入賞装置２７等に入賞可能となる。そして、第１始動入賞装置２３にパチンコ球が入賞すると、前記図柄表示装置１３の図柄が変動開始され、所要の図柄組合わせゲームが展開される。図柄表示装置１３で展開される図柄変動ゲームの結果、図柄表示装置１３に所定の図柄組合わせで図柄が停止表示されたときに大当りが発生する。そして、大当りが発生すると、図柄表示装置１３に表示された図柄組み合わせに応じて、前記遊技盤１８の下方に設けられた特別入賞装置２５の入賞口が開放され、多数の賞球の獲得が可能となる。
【００９０】
また、前記遊技領域１８ａを流下するパチンコ球が前記ゲート２６を通過すると、前記制御装置は、ゲートセンサから入球検知信号が入力されたことを条件として、前記第２始動入賞装置２４の開閉部材を開放するか否かの抽選を行なう。そして、抽選の結果、当りとなった場合は、第２始動入賞装置２４の開閉部材が作動されて始動入賞口が開放され、該始動入賞口への入賞確率が高まる。また、第２始動入賞装置２４の始動入賞口にパチンコ球が入賞した際には、第１始動入賞装置２３にパチンコ球が入賞した場合と同様に、前記図柄表示装置１３の図柄が変動開始され、所要の図柄組合わせゲームが展開された後、大当り、外れ等の何れかの結果が表示部１３ａに表示される。
【００９１】
前記図柄表示装置１３で展開される図柄変動ゲームの演出に応じて、前記可動演出装置３７,３８,３９が作動制御されて、各可動体４３,８８,８９,１５４が作動されて動的な演出により遊技の興趣が高められる。また、各可動体４３,８８,８９,１５４に配設されている発光基板７３,１０１,１３８のＬＥＤ７３ａ,１０１ａ,１３８ａが、図柄変動ゲームの演出に応じて発光制御されて、各可動体４３,８８,８９,１５４に形成されている図柄４３ａ,８８ａ,８９ａ,１５４ａが明輝する演出により遊技の興趣が向上される。
【００９２】
(第１可動演出装置の単独の作用について)
前記第１可動演出装置３７は、第１モータ６４の停止時(非通電時)に、該第１モータ６４自体の機械的な保持トルクによって、前記可動部材４１および第１可動体４３の重量を第１伝達部４６を介して支持して、可動部材４１を待機位置で停止している(図５,図１２,図２０,図１９参照)。また可動部材４１の待機位置において、前記磁石４９と金属片５４との磁力吸着によっても可動部材４１は補助的に待機位置に保持される。従って、第１可動演出装置３７は、遊技盤１８の振動やその他の予定しない力が可動部材４１や第１可動体４３に加わった際であっても、可動部材４１および第１可動体４３が待機位置から下降することを好適に防止できる。
【００９３】
前記第１可動演出装置３７は、通常状態において第１可動体４３が待機位置にあり、前記図柄表示装置１３の表示部１３ａで行なわれる図柄変動ゲームに連動して、または独立して、第１可動体４３が待機位置と作動位置との間で往復動される。具体的には、第１可動演出装置３７は、第１モータ６４が駆動されて第１伝達部４６を介して可動部材４１が下方へ変位される。これにより、可動部材４１は、前記転がり軸受５１に支持されたもとで下降し、該可動部材４１の下降に伴って第１連繋機構４４によって第１可動体４３が腕部５３に沿って左方に移動する(図２１,図２２参照)。すなわち、図５に示すように表示部１３ａの上辺中央の待機位置に位置していた第１可動体４３は、可動部材４１の下降に伴って左方へ移動することで、表示部１３ａの前方を左斜め下方に向けて平行移動して該表示部１３ａの上下方向の中央において左辺側に偏倚した図６に示す作動位置に到来する。第１モータ６４は、可動部材４１および第１可動体４３が作動位置に到来すると停止し、該可動部材４１および第１可動体４３は作動位置に保持される。
【００９４】
また、前記第１モータ６４が逆転駆動されると、第１伝達部４６を介して可動部材４１が上方へ変位される。これにより、可動部材４１は、前記転がり軸受５１に支持されたもとで上昇し、該可動部材４１の上昇に伴って第１連繋機構４４によって第１可動体４３が腕部５３に沿って右方に移動する。すなわち、表示部１３ａの上下方向の中央において左辺側に偏倚した作動位置に位置していた第１可動体４３は、可動部材４１の上昇に伴って右方へ移動することで、表示部１３ａの前方を右斜め上方に向けて平行移動して該表示部１３ａの上辺中央の待機位置に戻る。そして、前記第１検知手段６９が第１検知片７０を検知してから所定のタイミングで第１モータ６４を停止することで、第１可動体４３が表示部１３ａの上側に退避した待機位置で停止保持される。前記第１装置本体部４７に対して上下方向に移動する可動部材４１は、前記可動基部５２における右方に延在する腕部５３が該第１装置本体部４７の可動挿通口４７ａで前後が案内されると共に(図１７参照)、可動基部５２の左側に配設されたガイド部材５２ａが該第１装置本体部４７の案内口４７ｂで前後が案内される。すなわち、可動部材４１は、可動基部５２の左右両側で前後が夫々案内されることで、該可動部材４１の前後方向のぶれは好適に抑制される。
【００９５】
ここで、前記可動部材４１が待機位置に到来したときには、図１４および図１８に示す如く、前記規制部材４８が腕部５３の前側に臨んで、該腕部５３の前方への移動が規制される。すなわち、腕部５３の前側には第１可動体４３が配設されるため、該腕部５３には第１可動体４３の重量によって前方に傾く力が加わるが、前記規制部材４８によって前方への移動は確実に防止される。従って、腕部５３に配設される第１可動体４３の前側への変位も防止され、該第１可動体４３が装飾部材２８等の前側に位置する部材と干渉するのを防止し得る。また、規制部材４８は、上側から下側に向かうにつれて第１ベース部材４０の延出部４０ａとの間隔が広くなる傾斜部４８ｂを下端部に備えているから、作動位置から待機位置に移動する可動部材４１の腕部５３を、第１ベース部材４０の延出部４０ａと当該規制部材４８の平行部４８ａとの間に確実に導びくことができる。
【００９６】
前記第１可動演出装置３７では、図１６,図１８,図１９,図２１および図２２等に示す如く、第１装置本体部４７に対し、可動部材４１を移動自在に支持する転がり軸受５１を挟んで腕部５３の延出側とは反対側に第１伝達部４６および第１モータ６４からなる第１駆動部４２を配置してある。従って、第１駆動部４２が腕部５３の動作の邪魔とならず、可動部材４１を安定して移動することができる。また、可動部材４１と第１可動体４３とを連繋する第１連繋機構４４は、可動部材４１における腕部５３の延出側に概ね配置されるため(図１９,図２２参照)、該第１連繋機構４４の設計の自由度が第１駆動部４２のために低くなるのを抑えることができる。
【００９７】
前記第１可動演出装置３７は、固定側の第１カバー部材４５に対して可動部材４１の可動基部５２が、滑り軸受構造と比べて摺動負荷が低い転がり軸受５１を介して支持されているので、可動部材４１を円滑に動作させることができると共に、第１駆動部４２(第１モータ６４)に対する負荷を軽減できる。第１可動演出装置３７では、可動基部５２から横方向に延びる腕部５３に第１発光基板７３を備えて比較的重量のある第１可動体４３が設けられるので、可動基部５２に対して斜め下方向に第１可動体４３および腕部５３の重量がかかる。しかしながら、転がり軸受５１は、図１７に示す如く、内受部５９および中受部６１が、転動体６０によって左右から挟まれて支持されており、変位方向と交差する方向へ荷重がかかっても傾き難いので、第１可動体４３の重量が斜めにかかっても転がり軸受５１によって可動部材４１の上下動を円滑に行ない得る。また転がり軸受５１は、可動基部５２に配設される内受部５９の左右両側において、上下方向に離間する複数の転動体６０により移動自在に支持されているから、可動部材４１を安定して支持してより円滑に動作させることができる。
【００９８】
前記転がり軸受５１を構成する外受部５８は、上端部を第１カバー部材４５に設けた上係合部４５ｂに係合したもとで、該外受部５８の下端部が、第１カバー部材４５に対して着脱可能に固定される固定部材６２により保持されている(図１９参照)。すなわち、転がり軸受５１の中受部６１および内受部５９を移動自在に支持する外受部５８は、上端部と下端部とで第１カバー部材４５に対して保持されて、中受部６１および内受部５９が移動する中間領域においては、当該外受部５８を第１カバー部材４５に固定するネジ等の手段が存在しない。従って、外受部５８にネジ等の固定手段に対する固定部分を設けたり、中受部６１や内受部５９に固定手段と干渉しない構成を採用する必要がなく、各部品の構成を簡略化して製造コストを低廉にすることができる。また外受部５８は、固定部材６２を取外すだけで第１カバー部材４５から簡単に取外すことができ、メンテナンス性が向上する。
【００９９】
前記腕部５３に対して第１可動体４３を移動自在に配設する前記可動連結部材７８は、図１９および図２２に示す如く、腕部５３に対して複数の案内ローラ５７,５７で支持されており、第１可動体４３の移動時における抵抗は小さく、第１可動体４３のスムーズな動作を達成し得る。また、可動連結部材７８と共に第１連繋機構４４を構成する第１作動杆７９は、可動連結部材７８および第１ベース部材４０のカム溝８４に対してローラ体８１,８３を介して回転および移動可能に連繋されており、第１連繋機構４４の作動時における各連繋部で発生する抵抗を小さく抑えている。すなわち、前記第１モータ６４により往復動される可動部材４１の動作に連動して第１可動体４３を動作させる第１連繋機構４４の各支持部分や連繋部での抵抗が小さくなるよう構成しているから、第１モータ６４に加わる負荷をより小さくすることができ、駆動力の小さなモータを用いることを可能として小型化を図り、コストの上昇を抑制し得る。
【０１００】
前記第１可動体４３における第１発光基板７３のソケット７３ｂに接続された配線は、前記腕部５３に配設された配線カバー８６と第１発光基板７３との間に画成される空間内でＵ字状に折曲された後に、該腕部５３に画成された配線収容部５５ｂに収容された状態で第１装置本体部４７内に引き込まれ、前記第１ベース部材４０の配線通口４０ｃを介して裏側に引き出されている。すなわち、第１可動体４３の裏側に臨む配線が、第１可動体４３の移動に際して後方や上方に突出するように曲がるのは防止され、配線が他の部材に引掛かることで第１可動体４３および可動部材４１の移動を阻害するのは防止される。また、配線収容部５５ｂの後方開口を閉じる配線蓋体８５は、図１２に示す如く、第１装置本体部４７の外側と内側とに亘って延在し、該配線蓋体８５が腕部５３の後方への変位を規制するべく機能している。しかも、配線蓋体８５の後方に突出する突条部８５ａは円弧状に形成されて(図１４参照)、第１装置本体部４７における第１ベース部材４０との接触面積を小さく抑えるようになっているので、可動部材４１の往復動時における第１ベース部材４０との接触抵抗は小さく、可動部材４１のスムーズな動作および第１モータ６４に加わる負荷を低減するのに寄与している。
【０１０１】
前記第１可動演出装置３７は、前記裏部材３２に対して第１装置本体部４７を単位とするユニット単位で着脱することができ、故障や部品交換等のメンテナンスは容易である。また、前記腕部５３に対して第１可動体４３を着脱位置に位置することで、図１２および図１６に示す如く、該第１可動体４３と可動連結部材７８とを固定する右端のネジ８０は、腕部５３の収容空間Ｓ外で後側に露出すると共に、左端および中間の２つのネジ８０の夫々は、前記後支持部５６に形成した対応する孔５６ａと前後で整列する。すなわち、収容空間Ｓに臨む２つのネジ８０は、後支持部５６の孔５６ａを介して挿入した工具で弛み外したり締付けることができるから、腕部５３を分解することなく第１可動体４３の着脱を行なうことが可能で、メンテナンスが容易となる。
【０１０２】
更に、前記配線蓋体８５を腕部５３に固定する２つのネジは、第１装置本体部４７に対して可動部材４１を待機位置に位置させた状態で、一方は第１装置本体部４７の外側で後側に露出して位置すると共に、他方は前記配線通口４０ｃに臨んで後側に露出しているから(図１２参照)、該配線蓋体８５については、第１装置本体部４７を分解することなく取外したり取付けたりすることができる。また、前記配線カバー８６を腕部５３に固定するネジは後側に露出しているから、該配線カバー８６についても腕部５３を分解することなく着脱し得る。すなわち、前記第１発光基板７３に接続する配線を後側から覆っている配線カバー８６および配線蓋体８５は、何れも他の部品を取外すことなく第１装置本体部４７の後側からの操作で取外したり取付けることができるので、該配線の交換等のメンテナンスを容易に行ない得る。
【０１０３】
(第２可動演出装置のみの作用について)
前記第２可動演出装置３８は、第２モータ１２０を停止(非通電時)した待機位置では、図５に示す如く、前記斜動第２可動体８８および直動第２可動体８９が、前記図柄表示装置１３の表示部１３ａの右辺側において、前記直線Ｌを挟んで上下の関係で並んでいる。第２可動演出装置３８は、第２モータ１２０が駆動されて第２伝達部９５を介して第２連繋機構９１の作動部材１０５が下方へ変位されると、該作動部材１０５の第１カム孔１０５ｃおよび第２カバー部材９４の第２カム孔９４ｃにローラ部材１１９を介して一端が連繋されると共に他端が斜動第２可動体８８に連繋されている第２作動杆１０７が押下げられ、図３４に示す如く、前記平行リンク機構１０８で支持されている斜動第２可動体８８が待機位置から左斜め下方に向けて平行移動する。また、前記第２連繋機構９１のラック部材１０６が接触位置まで下降すると、該ラック部材１０６が、前記第３連繋機構９３において原位置に位置する第１部材１４９の上端に接触し、該ラック部材１０６の下降に伴って第１部材１４９が前記圧縮コイルバネ１５２の弾力に抗して押下げられる。
【０１０４】
前記第１部材１４９の下降に伴って該第１部材１４９が噛合する前記作動ピニオン１４８が回転し、該作動ピニオン１４８に第１部材１４９とは反対側で噛合する第２部材１５０は、下端が前記第３伝達部設置部１４４の上壁１４４ｂ,１４４ｂに当接した原位置から上昇する。これにより、該第２部材１５０に配設される前記直動第２可動体８９が待機位置から作動位置に向けて上昇する。前記ラック部材１０６が第１部材１４９に当接した状態で第２連繋機構９１が第２位置に向けて移動することで、斜動第２可動体８８が左斜め下方に移動しつつ直動第２可動体８９が垂直上方に移動する。このとき、直動第２可動体８９が干渉位置に至る前に、斜動第２可動体８８が干渉位置より作動位置側に移動するので、両可動体８８,８９が接触して動作が阻害されることはない。
【０１０５】
そして、前記第２連繋機構９１が第２位置に到来することで、図６に示す如く、前記斜動第２可動体８８が、前記図柄表示装置１３の表示部１３ａの前側であって、略中央の作動位置に到来する。また、前記ラック部材１０６と第１部材１４９とが接触した状態で第３連繋機構９３が可動位置に至り、これによって直動第２可動体８９が、斜動第２可動体８８の右側に並ぶ作動位置に到来する(図３６〜図３８参照)。前記第２モータ１２０は、前記斜動第２可動体８８が作動位置(第２連繋機構９１が第２位置)に到来すると停止し、該斜動第２可動体８８および直動第２可動体８９は作動位置に保持される。
【０１０６】
前記第２モータ１２０が逆転駆動されると、作動部材１０５は第１位置に向けて上昇すると共に、第２連繋機構９１を介して作動位置の斜動第２可動体８８は右斜め上方に向けて平行移動する。また、第２連繋機構９１のラック部材１０６が第１位置に向けて上昇するのに伴い、前記圧縮コイルバネ１５２で付勢されている第３連繋機構９３の第１部材１４９はラック部材１０６に接触した状態で、該ラック部材１０６の上昇に伴って上昇する。これにより、第１部材１４９に作動ピニオン１４８を介して噛合する第２部材１５０が可動位置から原位置に向けて下降することで、作動位置の直動第２可動体８９は下方に向けて平行移動する。このとき、斜動第２可動体８８が干渉位置に至る前に、直動第２可動体８９が干渉位置より待機位置側に移動するので、両可動体８８,８９が接触して動作が阻害されることはない。
【０１０７】
そして、前記第２部材１５０の下端が第３伝達部設置部１４４の上壁１４４ｂ,１４４ｂに当接して下降が規制されて第２部材１５０および第１部材１４９が原位置に保持されることで、引続き上昇する前記ラック部材１０６が第１部材１４９から離間し、直動第２可動体８９は待機位置に保持される(図３２参照)。また、前記第２検知手段１３４が第２検知片１３５を検知してから所定のタイミングで第２モータ１２０を停止することで、斜動第２可動体８８が表示部１３ａの右辺側に退避した待機位置に保持される。前記第２装置本体部９６に対して上下方向に移動するラック部材１０６は、図３１に示す如く、前記前突部１０６ａおよび後突部１０６ｂが対応する前長孔９４ｅおよび後長孔８７ａに夫々案内されることで、左右方向にぶれることなく上下動する。また、第２装置本体部９６の前側および後側で前突部１０６ａおよび後突部１０６ｂに配設される作動部材１０５および第２検知片１３５によってラック部材１０６の前後方向のぶれも抑制される。
【０１０８】
ここで、前記第２連繋機構９１が第２位置から第１位置に移動する際には、前記平行リンク機構１０８を構成する第１リンク杆１０９と第２装置本体部９６との間に張設したねじりコイルバネ１１６により、該第１リンク杆１０９が第２位置に向けて回転するよう付勢される。従って、前記斜動第２可動体８８の動きに追従して平行リンク機構１０８がスムーズに移動し、該斜動第２可動体８８は姿勢を保持したまた待機位置まで確実に移動する。また、第１リンク杆１０９に設けた案内突部１０９ａによって、該第１リンク杆１０９は前記第２カバー部材９４の上部延出部９４ｄの裏側に案内され、第１リンク杆１０９が上部延出部９４ｄに引掛かって第２位置への移動が妨げられるのは防止される。
【０１０９】
すなわち、前記第２可動演出装置３８では、１つの第２モータ１２０により、２つの第２可動体８８,８９を動作させることができる。また、斜動第２可動体８８に連繋される第２連繋機構９１と機械的に接触する第３連繋機構９３により直動第２可動体８９を移動するよう構成してあるから、斜動第２可動体８８の軌道の一部を、直動第２可動体８９の軌道の一部と重なるように構成して２つの第２可動体８８,８９を限られたスペースに配設した場合であっても、両第２可動体８８,８９が移動途中で干渉することはなく、両第２可動体８８,８９で意図した動作演出を行ない得る。しかも、２つの第２可動体８８,８９を独立したモータで夫々動作するものではないから、モータを２つ設けた場合に比ベて部品点数を低減し得ると共に設置スペースを小さくでき、かつ制御装置にかかる負担を軽減し得る。
【０１１０】
また、前記第２可動演出装置３８においては、図３０に示す如く、両第２可動体８８,８９の待機位置では両第２可動体８８,８９が上下方向に直線的に並んでおり、この状態から両第２可動体８８,８９が図６に示す左右方向に並ぶ作動位置に変化するので、動作に面白みがあり、興趣のある演出を行ない得る。
【０１１１】
前記第２可動演出装置３８では、２つの第２可動体８８,８９を待機位置と作動位置の間で大きく往復動する動作とは別に、斜動第２可動体８８のみを待機位置と接触位置との間の一部範囲で往復動する動作を行なうことができる。すなわち、前記第２検知手段１３４が第２検知片１３５を検知している状態から斜動第２可動体８８を下降する際の第２モータ１２０の駆動ステップ数が、前記第２連繋機構９１のラック部材１０６が、第３連繋機構９３の第１部材１４９に接触しない値までの間で第２モータ１２０を正逆駆動することで、斜動第２可動体８８が待機位置と接触位置に至る前の範囲で、該斜動第２可動体８８のみが往復動する。
【０１１２】
また前記第２可動演出装置３８では、２つの第２可動体８８,８９を待機位置と作動位置の間で大きく往復動する動作および斜動第２可動体８８のみを往復動する動作とは更に別に、直動第２可動体８９のみを待機位置と作動位置との間の一部範囲で上下方向に往復動する動作を行なうことができる。すなわち、斜動第２可動体８８を待機位置に保持した状態で第２モータ１２０を駆動停止したもとで、前記ソレノイド１４２の励磁・消磁(通電・非通電)を反復することで、第３伝達部１４３により直動第２可動体８９のみが上下動する。すなわち、ソレノイド１４２を励磁してプランジャ１４２ａを本体内に引き込むことで、図３９に示す如く、前記第１作動体１４５およびシーソー部材１４６を介して第２作動体１４７が上昇し、前記上壁１４４ｂ,１４４ｂに下端を当接している原位置の第３連繋機構９３の第２部材１５０を押上げ、直動第２可動体８９を上昇する。そして、ソレノイド１４２を消磁することで、前記圧縮コイルバネ１５２の弾力および直動第２可動体８９自身の重量によって該直動第２可動体８９が下降して、第２部材１５０が上壁１４４ｂ,１４４ｂに当接することで直動第２可動体８９は待機位置に保持される。このように、ソレノイド１４２の励磁・消磁を反復するだけで、直動第２可動体８９は上下動する。
【０１１３】
すなわち、前記第２可動演出装置３８では、第２連繋機構９１を移動させる範囲により、第２モータ１２０の駆動により斜動第２可動体８８のみを動作する演出と、斜動第２可動体８８および直動第２可動体８９の２つの可動体８８,８９を連動して動作する演出とを行なうことができ、興趣のある演出を少ない部品で実施し得る。また、第２連繋機構９１と第３連繋機構９３とを機械的に接離可能な構成としたので、連繋機構の機械的な構成によって１つの可動体のみを動作させる状態と２つの可動体を同期して動作させる状態とに変化する構成に比べ、機構の簡略化を図ることができ、コストを低廉に抑え得る。
【０１１４】
更にまた、前記第２可動演出装置３８では、直動第２可動体８９をソレノイド１４２により動作し得るから、直動第２可動体８９を単独で動作して演出を行なうことができ、多様な動作パターンでの演出を行なうことで、興趣をより向上し得る。また、ソレノイド１４２により直動第２可動体８９が動作する範囲は、該直動第２可動体８９が斜動第２可動体８８と干渉することのない干渉位置より待機位置側で、かつ第３連繋機構９３の第１部材１４９が、第１位置の第２連繋機構９１におけるラック部材１０６に接触しない範囲で第３連繋機構９３を移動するよう構成してあるから(図３９参照)、直動第２可動体８９を単独で動作させる際に、直動第２可動体８９が斜動第２可動体８８と干渉してしまったり、第３連繋機構９３が第２連繋機構９１と接触して斜動第２可動体８８が意図しない動作を行なってしまうのを防止し得る。なお、ソレノイド１４２の制御は、モータを制御するのに比べて制御負担は軽く、第２モータ１２０とソレノイド１４２の両方を駆動する場合の制御装置にかかる負担は、２つのモータを用いる場合に比べて小さく抑えることができる。
【０１１５】
前記第２可動演出装置３８では、第２連繋機構９１の第１位置および第３連繋機構９３の原位置で、両機構９１,９３のラック部材１０６と第１部材１４９とが離間し(図３３参照)、第２連繋機構９１の接触位置から第２位置までの間でラック部材１０６が第１部材１４９に接触するよう構成されている(図３４,図３５,図３７,図３８参照)。また、第３連繋機構９３の原位置で、第３伝達部１４３の第２作動体１４７と第２部材１５０とが接触可能な状態となっている。そして、図３４に示すようにラック部材１０６が第１部材１４９と接触して第３連繋機構９３が原位置から可動位置に移動する際には、該第３連繋機構９３の第２部材１５０が、第３伝達部１４３の第２作動体１４７から離間する方向に移動するよう構成されている。すなわち、第２モータ１２０の駆動によって直動第２可動体８９を待機位置から作動位置に移動する際には、第３伝達部１４３から第２部材１５０を機械的に切離すから、このときに第３伝達部１４３やソレノイド１４２に負荷が加わることはない。
【０１１６】
また、前記第１部材１４９とラック部材１０６とが接触した状態で、図３４に示すように第２部材１５０が第３伝達部１４３の第２作動体１４７と接触可能な位置に臨んでいる際に、前記ソレノイド１４２が励磁されて第２作動体１４７が第２部材１５０に接触してこれを押上げた際には、第１部材１４９がラック部材１０６から離間する方向に移動するから、この場合であっても第２連繋機構９１を介して第２モータ１２０に負荷が加わることはない。すなわち、第２連繋機構９１と第３連繋機構９３、および第３連繋機構９３と第３伝達部１４３との何れもが機械的に切離し可能な構成で、かつ第２連繋機構９１と第３連繋機構９３とが連繋されて第２モータ１２０の駆動力が第３連繋機構９３に加わっているときには、該第３連繋機構９３が第３伝達部１４３から離間する方向に移動し、また第３伝達部１４３と第３連繋機構９３とが連繋されてソレノイド１４２の駆動力が第３伝達部１４３に加わっているときには、第３連繋機構９３が第２連繋機構９１から離間する方向に移動するよう構成されているから、第２モータ１２０およびソレノイド１４２が意図していないときに駆動された場合であっても、該第２モータ１２０、ソレノイド１４２、第２連繋機構９１、第３連繋機構９３および第３伝達部１４３等に無用な負荷が加わらず、これら部材の故障等の発生を防止し得る。
【０１１７】
(第１、第２および第３可動演出装置の相互の作用について)
前記第１可動体４３は、待機位置と作動位置とで同じ姿勢を保持しており、該第１可動体４３に形成されている第１図柄４３ａは、待機位置と作動位置とで同じ図柄として認識できる。また、前記斜動第２可動体８８および直動第２可動体８９も、待機位置と作動位置とで同じ姿勢を保持しており、該両第２可動体８８,８９に形成されている第２図柄８８ａ,８９ａは、待機位置と作動位置とで同じ図柄として認識できる。なお、前記第３可動体１５４も、待機位置と作動位置とで同じ姿勢を保持しており、該第３可動体１５４に形成されている第３図柄１５４ａは、待機位置と作動位置とで同じ図柄として認識できる。但し、第３可動体１５４は、待機位置では前記装飾部材２８におけるステージ２９および透明壁３１の裏側に一部が前側から視認可能に臨んでいるだけであり、該第３可動体１５４に形成されている第３図柄１５４ａの全体を遊技者が明確に認識することはできない。
【０１１８】
前記第１可動演出装置３７において、前記第１可動体４３を待機位置から作動位置に向けて移動すると、該第１可動体４３は、前記図柄表示装置１３の表示部１３ａの上辺略中央から表示部１３ａの前側を左斜め下方に向けて平行移動し、表示部１３ａの上下方向の中央において左辺側に偏倚した作動位置に到来する(図６参照)。また、前記第２可動演出装置３８において、両第２可動体８８,８９を待機位置から作動位置に向けて夫々移動すると、直動第２可動体８９は、図柄表示装置１３の表示部１３ａの右辺下部から直上に向けて平行移動すると共に、斜動第２可動体８８は、表示部１３ａの右辺上部から表示部１３ａの前側を左斜め下方に向けて平行移動する。そして、直動第２可動体８９が、表示部１３ａの上下方向の中央において作動位置の前記第１可動体４３に対して上辺に沿って直線状に並ぶ作動位置に到来すると共に、斜動第２可動体８８が、表示部１３ａの上下方向の中央において作動位置の第１可動体４３および直動第２可動体８９との間において上辺に沿って直線状に並ぶ作動位置に到来する(図６参照)。第１可動体４３および２つの第２可動体８８,８９が表示部１３ａの前側で直線状に並んだ状態で、各可動体４３,８８,８９に形成されている第１図柄４３ａ、斜動用第２図柄８８ａおよび直動用第２図柄８９ａが一連の意味のある図柄を形成する。更に、前記第３可動演出装置３９において、前記第３可動体１５４を待機位置から作動位置に向けて移動すると、該第３可動体１５４は、前記図柄表示装置１３の表示部１３ａの前側で直線状に並んでいる第１可動体４３および第２可動体８８,８９の下側に並ぶ作動位置に到来する(図６参照)。この第３可動体１５４に形成されている第３図柄１５４ａは、直線状に並ぶ第１図柄４３ａ、斜動用第２図柄８８ａおよび直動用第２図柄８９ａと共に意味のある一連の図柄を形成する。
【０１１９】
すなわち、前記図柄表示装置１３の表示部１３ａの前側で一連の図柄を形成する際に、該表示部１３ａの複数の辺から可動体４３,８８,１５４が表示部１３ａの前側に出てくるので、面白みがあり、遊技の興趣を向上し得る。特に、第１可動体４３と斜動第２可動体８８とは、単に対応する辺と直交する方向に移動するのではなく、斜めに移動するから一連の図柄を形成する際に該可動体４３,８９の動きが単調でなく複雑で面白みがあり、興趣を高めることができる。しかも、斜動第２可動体８８は、作動位置の第１可動体４３および直動第２可動体８９の間に斜め上方から入り込むように移動するから、可動体の動きに面白みがあり、より興趣を高めることができる。更に、直線状に並ぶ第１可動体４３と２つの第２可動体８８,８９は、図６に示すように、表示部１３ａの上下方向の中央において横方向の全体に一連で位置するから、遊技者に大きなインパクトを与えることができ、他の機種に対する差別化を図り得る。
【０１２０】
また実施例では、左右方向に直線的に並ぶ３つの可動体４３,８８,８９に形成されている図柄４３ａ,８８ａ,８９ａのみによって意味のある一連の図柄を形成しているが、更に前記第３可動体１５４が下側に並ぶことで、該第３可動体１５４に形成されている第３図柄１５４ａと合わせて意味のある一連の図柄が形成される。この場合に、第３可動体１５４の第３図柄１５４ａは、前述したように待機位置では全体が前側から明確に認識することができないので、第３可動体１５４が待機位置から作動位置に移動して前側から全体が認識し得るようになった第３図柄１５４ａが、上側で直線的に並ぶ一連の図柄に合体して一連の図柄を形成することでの興趣を高めることができる。
【０１２１】
ここで、前記第１可動体４３を移動する第１連繋機構４４において、前記カム溝８４における曲率の小さな湾曲部８４ｂを第１作動杆７９の第２ローラ体８３が案内される際には、第１可動体４３は左右方向へ殆ど変位することなく上下方向に略直線的に移動する。すなわち、前記表示部１３ａの右辺側から作動位置に斜めに移動してくる前記斜動第２可動体８８に対し、第１可動体４３を干渉することなく作動位置に移動することができると共に、作動位置において斜動第２可動体８８と第１可動体４３とを近接して位置させることができる。これにより、左右方向に直線的に並んだ第１可動体４３と斜動第２可動体８８との間が大きく離間して一連で形成される図柄に違和感を与えるのを抑制し得る。
【０１２２】
前記作動位置から待機位置に移動した第１可動体４３は、図５に示す如く、図柄表示装置１３の表示部１３ａの上辺中央に位置すると共に、作動位置から待機位置に移動した２つの第２可動体８８,８９は、表示部１３ａの右辺側において上下方向に並んで位置する。このとき、表示部１３ａの上辺に位置する第１可動体４３の第１図柄４３ａと、表示部１３ａの右辺側に位置する２つの第２可動体８８,８９の第２図柄８８ａ,８９ａは、鉤形に並んで、作動位置において形成した一連の図柄と共通する図柄を形成する。すなわち、第１可動体４３および第２可動体８８,８９の待機状態においても、各図柄４３ａ,８８ａ,８９ａで意味のある図柄を表示することができ、装飾効果を向上し得る。
【０１２３】
ここで、前記各可動体４３,８８,８９,１５４の図柄４３ａ,８８ａ,８９ａ,１５４ａで形成される一連の図柄の構成をより具体的に説明する。例えば、第１図柄４３ａとして「パチ」、斜動用第２図柄８８ａとして「ン」、直動用第２図柄８９ａとして「コ」、第３図柄１５４ａとして「ゲーム」の文字が夫々形成されているとする。この場合は、第１可動体４３、斜動第２可動体８８および直動第２可動体８９の３つの可動体が作動位置に移動することで、前記表示部１３ａの前側において、左右方向に並んだ「パチンコ」の図柄が一連で形成され、遊技者の興趣を向上することができる。また、左右方向に並んだ３つの可動体４３,８８,８９の下側の作動位置に第３可動体１５４が移動することで、表示部１３ａの前側において、上下２段で「パチンコゲーム」の図柄が一連で形成され、遊技者の興趣をより向上し得る。更に、待機位置において第１可動体４３が表示部１３ａの上辺側に位置し、第２可動体８８,８９が表示部１３ａの右辺側において上下に並んで位置することで、この待機状態においても、上辺から右辺に亘って「パチンコ」の図柄が一連で形成されて、各可動体４３,８８,８９は個々が意味のない図柄を表示するのみでなく、一連で意味のある図柄を表示しており、第１可動体４３、斜動第２可動体８８および直動第２可動体８９の待機状態での装飾性を高めることができる。
【０１２４】
(変更例)
本願は前述した実施例の構成に限定されるものではなく、その他の構成を適宜に採用することができる。
(1) 実施例では、遊技盤を木製の板部材から構成したが、アクリル等の透明な材料で形成した透明板から構成したものであってもよい。
(2) 実施例では、第１可動演出装置の可動部材を往復動する機構としてラックアンドピニオン機構を採用したが、リンク機構等、その他の機構を用いることができる。
(3) 実施例では、第１可動演出装置において可動部材に配設した第１可動体を、待機位置では表示部の上辺側において左右方向の中央に位置して作動位置では表示部の左辺側に偏倚して位置するよう構成したが、作動位置で表示部の右辺側に偏倚して位置するよう構成したものであってもよい。また、第１可動体は、待機位置で表示部の上辺側において左右何れかの辺側に偏倚して位置し、作動位置では表示部の左右方向の中央に位置するよう構成してもよい。
(4) 実施例では、第１可動演出装置において可動部材に配設した第１可動体に関し、表示部の上辺側を待機位置としたが、表示部の下辺側を待機位置としてもよく、この場合における表示部に対する待機位置および作動位置の左右方向の関係は、上記(3)の変更例のようにすることが可能である。
(5) 実施例では、第１可動演出装置の第１装置本体部を表示部の左辺側に配置したが、表示部の右辺側に配置する構成を採用し得る。
(6) 実施例では、第１可動演出装置の第１装置本体部に磁石を配設すると共に可動部材に金属板を配設したが、磁石および金属板の配設対象は実施例と逆であってもよく、また両方に磁石を設けたものであってもよい。
(7) 実施例では、第２可動演出装置に配設した２つの第２可動体に関し、一方を上下方向に直線的(垂直)に往復動すると共に、他方を一方の移動方向と交差する斜めに往復動するよう構成したが、２つの第２可動体の移動方向は、平行であってもよい。
(8) 実施例では、第２可動演出装置の第３連繋機構を原位置に向けて付勢する復帰手段として圧縮コイルバネを用いたが、引張りコイルバネやその他各種形式のバネあるいはゴム等の弾性を有する弾性手段を採用し得る。また、実施例のように直動第２可動体の重量が、第３連繋機構を原位置に向けて付勢するよう作用する構成であれば、バネやゴム等の弾性手段を省略して直動第２可動体の重量のみを復帰手段として利用することができる。
(9) 実施例では、第２可動演出装置を、表示部の右辺側に配置したが、表示部の左辺側、上辺側あるいは下辺側に配置する構成を採用し得る。
(10) 実施例では、第２可動演出装置における２つの第２可動体の軌動が一部重なるよう構成したが、２つの第２可動体の軌動が全く重ならない構成を採用することができる。なお、２つの第２可動体の軌動が一部重なる構成では、各第２可動体が待機位置と作動位置との間を移動する際に、両第２可動体が干渉しないように動作すればよく、他方の第２可動体が一方の第２可動体の軌道から離間する位置まで移動した後に、一方の第２可動体が移動を開始するものでなくてもよい。
(11) 実施例では、第２可動演出装置のソレノイドの駆動力を第３伝達部を介して第３連繋機構に間接的に伝えるよう構成したが、ソレノイドのプランジャで第３連繋機構を直接作動するよう構成してもよい。
(12) 実施例では、第２可動演出装置の直動第２可動体を単独で移動する駆動手段としてソレノイドを用いたが、モータを用いることができる。例えば、モータを用いる場合は、該モータで回転されるカムによって第３伝達部を作動したり、あるいは第３連繋機構を直接移動する構成等、第３連繋機構と接離可能な構成であれば、その他の構成を採用し得る。
(13) 実施例では、第１可動体が表示部の上辺の外側で待機し、第２可動体が表示部の右辺の前側に重なった状態で上下に並んで待機するよう構成したが、第１可動体を表示部の上辺の前側に重なった状態で待機したり、第２可動体を表示部の右辺の外側で待機するようにしてもよい。
(14) 実施例では、表示部の右辺側で上下に並ぶ２つの第２可動体の内の下側の第２可動体を右辺に沿って上下方向に直線的に移動したが、上側の第２可動体を右辺に沿って上下方向に直線的に移動し、下側の第２可動体を左斜め上方に移動する構成を採用し得る。
(15) 実施例では、待機位置において表示部の上辺側に第１可動体を位置させると共に、２つの第２可動体を表示部の右辺側に並んで位置させたが、待機位置において第１可動体および第２可動体が位置する辺は交差する２辺であればよく、例えば以下の(a)〜(c)の構成が採用可能である。
(a) 第１可動体を表示部の上辺中央から右辺に偏った作動位置に移動する構成では、第２可動体を表示部の左辺側で上下に並んで配置する。この場合において、左辺に沿って上下方向に直線的に移動する第２可動体は上側のものでも下側のものでもよい。
(b) 第１可動体を表示部の下辺中央から左辺または右辺に偏った作動位置に移動する構成では、第２可動体を表示部の右辺側または左辺側で上下に並んで配置する。この場合における右辺または左辺に沿って上下方向に直線的に移動する一方の第２可動体は上側のものでも下側のものでもよく、他方の第２可動体が、作動位置に至った第１可動体および一方の第２可動体との間に入って左右方向に直線状に並ぶ位置に移動するよう構成すればよい。
(c) 第１可動体を表示部の右辺中央または左辺中央から上辺または下辺に偏った作動位置に移動する構成では、第２可動体を表示部の上辺側または下辺側で左右方向に並んで配置する。この場合における上辺または下辺に沿って左右方向に直線的に移動する一方の第２可動体は右側のものでも左側のものでもよく、他方の第２可動体が、作動位置に至った第１可動体および一方の第２可動体との間に入って上下方向に直線状に並ぶ位置に移動するよう構成すればよい。
(16) 実施例の第２可動演出装置において第２可動体を２つ備えた場合で説明したが、第２可動体は３つ以上であってもよく、待機位置で対応する辺に沿って並んでいた複数の第２可動体の夫々が作動位置に移動することで、第１可動体が待機していた辺に沿って直線状に並ぶように変化するものであればよい。
(17) 実施例では、第１可動体および第２可動体に形成される各図柄として文字を挙げて説明したが、例えばパチンコ機のモチーフとなるキャラクタの図形、その他のものであって、複数の図柄が並ぶことで意味のある一連の図柄を形成するものであればよい。
(18) 遊技機としては、パチンコ機に限られるものではなく、アレンジボール機やパチンコ球を用いたスロットマシン等、その他各種の遊技機であってもよい。
【符号の説明】
【０１２５】
３８  第２可動演出装置(可動演出装置)
８８  斜動第２可動体(第１の可動体)
８９  直動第２可動体(第２の可動体)
９１  第２連繋機構(第１作動機構)
９３  第３連繋機構(第２作動機構)
９６  第２装置本体部(装置本体部)
１０６  ラック部材(押圧部材)
１０７  第２作動杆(作動杆)
１０８  平行リンク機構
１２０  第２モータ(第１駆動手段)
１４２  ソレノイド(第２駆動手段)
１４８  作動ピニオン(連繋体)
１４９  第１部材
１５０  第２部材
１５２  圧縮コイルバネ(復帰手段)
【図１】
0005384460.tif 000002
【図２】
0005384460.tif 000003
【図３】
0005384460.tif 000004
【図４】
0005384460.tif 000005
【図５】
0005384460.tif 000006
【図６】
0005384460.tif 000007
【図７】
0005384460.tif 000008
【図８】
0005384460.tif 000009
【図９】
0005384460.tif 000010
【図１０】
0005384460.tif 000011
【図１１】
0005384460.tif 000012
【図１２】
0005384460.tif 000013
【図１３】
0005384460.tif 000014
【図１４】
0005384460.tif 000015
【図１５】
0005384460.tif 000016
【図１６】
0005384460.tif 000017
【図１７】
0005384460.tif 000018
【図１８】
0005384460.tif 000019
【図１９】
0005384460.tif 000020
【図２０】
0005384460.tif 000021
【図２１】
0005384460.tif 000022
【図２２】
0005384460.tif 000023
【図２３】
0005384460.tif 000024
【図２４】
0005384460.tif 000025
【図２５】
0005384460.tif 000026
【図２６】
0005384460.tif 000027
【図２７】
0005384460.tif 000028
【図２８】
0005384460.tif 000029
【図２９】
0005384460.tif 000030
【図３０】
0005384460.tif 000031
【図３１】
0005384460.tif 000032
【図３２】
0005384460.tif 000033
【図３３】
0005384460.tif 000034
【図３４】
0005384460.tif 000035
【図３５】
0005384460.tif 000036
【図３６】
0005384460.tif 000037
【図３７】
0005384460.tif 000038
【図３８】
0005384460.tif 000039
【図３９】
0005384460.tif 000040